(57)【要約】      （修正有）【課題】データドライブ集積素子の熱的、電気的な劣化を防止して動作安全性を向上させるためのプラズマディスプレイ装置及びその駆動方法を提供することにある。【解決手段】複数の維持電極を含む前面パネルと、前面パネルと離隔されて形成されて複数のアドレス電極とを含む背面パネルを有し、複数のアドレス電極に、お互いに異なる第１データパルス（ｄｐ１、ｄｐ７）及び第２データパルス（ｄｐ２〜ｄｐ６）を印加する駆動部とを含む。【選択図】図５ａ
2007133357.tif 000002
【特許請求の範囲】
【請求項１】
複数の維持電極を含む前面パネルと、
前記前面パネルと離隔されて形成され複数のアドレス電極を含む背面パネルと、
前記複数のアドレス電極に互いに異なる第１データパルス及び第２データパルスを印加する駆動部と、
を含むことを特徴とするプラズマディスプレイ装置。
【請求項２】
前記第１データパルス及び第２データパルスは同一サブフィールドで印加されることを特徴とする、請求項１記載のプラズマディスプレイ装置。
【請求項３】
前記第２データパルスの電圧上昇時間及び/または電圧下降時間は、第１データパルスの電圧上昇時間及び/または電圧下降時間より長いことを特徴とする、請求項１記載のプラズマディスプレイ装置。
【請求項４】
複数の維持電極を含む前面パネルと、
前記前面パネルに離隔され形成されて複数のアドレス電極を含む背面パネルと、
前記複数のアドレス電極を複数のアドレス電極群で分けてデータパルスを印加して、少なくともいずれか一つのアドレス電極群に供給されるデータパルスの内でＮ番目（Ｎは自然数）のデータパルスを、他のアドレス電極群に供給されるデータパルスの内でＮ番目のデータパルスと異なるように印加する駆動部と、
を含むことを特徴とするプラズマディスプレイ装置。
【請求項５】
前記少なくともいずれか一つのアドレス電極群に供給されるデータパルスの内でＮ番目（Ｎは自然数）のデータパルス及び前記他のアドレス電極群に供給されるデータパルスの内でＮ番目のデータパルスは互いに異なるサブフィールドで印加されることを特徴とする、請求項４記載のプラズマディスプレイ装置。
【請求項６】
前記少なくともいずれか一つのアドレス電極群に供給されるデータパルスの内でＮ番目（Ｎは自然数）のデータパルスの電圧下降時間及び/または電圧上昇時間は、前記他のアドレス電極群に供給されるデータパルスの内でＮ番目のデータパルスの電圧下降時間及び/または電圧上昇時間と異なることを特徴とする、請求項４記載のプラズマディスプレイ装置。
【請求項７】
前記少なくともいずれか一つのアドレス電極群に供給されるデータパルスの内でＮ番目(Nは自然数)のデータパルスの電圧上昇時間は、前記データパルスの電圧が上昇している途中で最高電圧の１０％になる時点から９０％になる時点までの時間であり、
前記少なくともいずれか一つのアドレス電極群に供給されるデータパルスの内でＮ番目(Ｎは自然数)のデータパルスの電圧下降時間は、前記データパルスの電圧が下降している途中で最高電圧の９０％になる時点から１０％になる時点までの時間であることを特徴とする、請求項６記載のプラズマディスプレイ装置。
【請求項８】
前記複数のアドレス電極群の各々は、等しい個数の前記アドレス電極を含むことを特徴とする、請求項４記載のプラズマディスプレイ装置。
【請求項９】
前記アドレス電極群の個数は、４個以上８個以下であることを特徴とする、請求項４記載のプラズマディスプレイ装置。
【請求項１０】
前記アドレス電極群はＭ個（Ｍは２以上の自然数）であり、
前記Ｍ個のアドレス電極群の内いずれか一つのアドレス電極群に供給されるデータパルスの内でＮ番目（Ｎは自然数）のデータパルスの電圧下降時間及び/または電圧上昇時間は、残りＭ−１個のアドレス電極群に供給されるデータパルスの内で各アドレス電極群におけるＮ番目のデータパルスの電圧下降時間及び/または電圧上昇時間と異なることを特徴とする、請求項４記載のプラズマディスプレイ装置。
【請求項１１】
前記Ｍ個のアドレス電極群の内いずれか一つのアドレス電極群に供給されるデータパルスの内でＮ番目（Ｎは自然数）のデータパルスの電圧下降時間及び/または電圧上昇時間は、残りＭ−１個のアドレス電極群に供給されるデータパルスの内で各アドレス電極群におけるＮ番目データパルスの電圧下降時間及び/または電圧上昇時間より長いことを特徴とする、請求項１０記載のプラズマディスプレイ装置。
【請求項１２】
前記アドレス電極群は第１アドレス電極群と第２アドレス電極群を含み、
前記第１アドレス電極群に供給されるデータパルスの内でＮ番目データパルスの電圧下降時間及び/または電圧上昇時間は、前記第２アドレス電極群に供給されるデータパルスの内でＮ番目データパルスの電圧下降時間及び/または電圧上昇時間よりさらに長いことを特徴とする、請求項６記載のプラズマディスプレイ装置。
【請求項１３】
前記第１アドレス電極群に供給されるデータパルスの内でＮ番目データパルスの電圧下降時間及び/または電圧上昇時間は、
アドレス期間以後のサステイン期間で前記維持電極に供給されるサステインパルスの電圧下降時間及び/または電圧上昇時間と略等しいことを特徴とする、請求項１２記載のプラズマディスプレイ装置。
【請求項１４】
前記第１アドレス電極群に供給されるデータパルスの内でＮ番目データパルスの電圧下降時間と電圧上昇時間とは、互いに異なることを特徴とする、請求項１２記載のプラズマディスプレイ装置。
【請求項１５】
前記第１アドレス電極群に供給されるデータパルスの内でＮ番目データパルスの電圧下降時間及び電圧上昇時間は、略等しいことを特徴とする、請求項１２記載のプラズマディスプレイ装置。
【請求項１６】
アドレス期間中にアドレス電極に、第１データパルスを印加すると共に、前記第１データパルスと異なる第２データパルスを印加する段階と、
前記アドレス期間以後において維持電極にサステインパルスを印加する段階と、
を含むプラズマディスプレイ装置の駆動方法。
【請求項１７】
前記第１データパルス及び第２データパルスは同一サブフィールドで印加されることを特徴とする、請求項１６記載のプラズマディスプレイ装置の駆動方法。
【請求項１８】
前記第１データパルスの電圧上昇時間及び/または電圧下降時間は、前記第２データパルスの電圧上昇時間及び/または電圧下降時間と異なることを特徴とする、請求項１６記載のプラズマディスプレイ装置の駆動方法。
【請求項１９】
前記第２データパルスの電圧上昇時間及び/または電圧下降時間は、第１データパルスの電圧上昇時間及び/または電圧下降時間より長いことを特徴とする、請求項１８記載のプラズマディスプレイ装置の駆動方法。
【請求項２０】
前記第２データパルスの電圧上昇時間は、
前記データパルスの電圧が上昇している途中で最高電圧の１０％になる時点から９０％になる時点までの時間であり、
前記第２データパルスの電圧下降時間は、
前記データパルスの電圧が下降している途中で最高電圧の９０％になる時点から１０％になる時点までの時間のことを特徴とする、請求項１８記載のプラズマディスプレイ装置の駆動方法。
【請求項２１】
アドレス電極を備えたプラズマディスプレイパネルと、
前記プラズマディスプレイパネルを駆動する駆動部であって、一定電圧であるデータ電圧を供給する電圧源からアドレス電極に第１のデータパルスを供給するデータ電圧供給制御部と、共振を通じてアドレス電極に第２のデータパルスを供給するエネルギー回収回路部とを備える前記駆動部と、
を備え、
前記第２データパルスの電圧上昇時間及び電圧下降時間の少なくとも一方は、前記第１データパルスの電圧上昇時間及び電圧下降時間の少なくとも一方よりも長く、
前記駆動部は、１アドレス期間において、前記データ電圧供給部と、前記エネルギー回収回路部とを切り換えて、前記第１データパルス及び前記第２データパルスをアドレス電極に供給する、
ことを特徴とするプラズマディスプレイ装置。
【請求項２２】
前記駆動部は、
前記データ電圧供給制御部と前記エネルギー回収回路を備え、前記アドレス電極のうち第１アドレス電極に接続され、動作制御信号を受信した場合に前記エネルギー回収回路部によってデータパルスを供給する前記第１データ駆動部と、
前記データ電圧供給制御部と前記エネルギー回収回路を備え、前記アドレス電極のうち第２アドレス電極に接続され、動作制御信号を受信した場合に前記エネルギー回収回路部によってデータパルスを供給する第２データ駆動部と
を含み、
前記第１データ駆動部及び前記第２データ駆動部は、１アドレス期間において、異なるタイミングで動作制御信号を受信して、前記第１のアドレス電極と前記第２のアドレス電極とに異なるタイミングで第２データパルスを供給することを特徴とする、
請求項２１記載のプラズマディスプレイ装置。
【発明の詳細な説明】
【技術分野】
【０００１】
本発明はディスプレイ装置に関し、より詳くはプラズマディスプレイ装置及びその駆動方法に関する。
【背景技術】
【０００２】
一般的にディスプレイ装置の内で、プラズマディスプレイ装置はプラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含む不活性ガスが充填されている。
【０００４】
このような放電セルが複数集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ）放電セルが集まって一つのピクセルを成すのである。
【０００５】
そして、このようなプラズマディスプレイパネルは高周波電圧によって放電する時、不活性ガスは真空紫外線（Ｖａｃｕｕｍ  Ｕｌｔｒａｖｉｏｌｅｔ  ｒａｙｓ）を発生して、隔壁の間に形成された蛍光体を発光させて画像が具現される。
【０００６】
このようなプラズマディスプレイパネルは、薄く軽い構成が可能なので次世代表示装置として脚光を浴びている。
【０００７】
このようなプラズマディスプレイパネルには、複数の電極、例えばスキャン電極（Ｙ）、サステイン電極（Ｚ）、アドレス電極（Ｘ）が形成されて、このような複数の電極に所定の駆動電圧を供給して放電を発生させることで映像を表示するようになる。
【０００８】
このようなプラズマディスプレイパネルの電極には、駆動電圧を供給するためにドライバー集積素子（Ｄｒｉｖｅｒ Ｉｎｔｅｇｒａｔｅｄ Ｃｉｒｃｕｉｔ）が電極に接続される。
【０００９】
例えば、プラズマディスプレイパネルの電極の内で、アドレス電極（Ｘ）にはデータドライバー集積素子が接続されて、スキャン電極（Ｙ）にはスキャンドライバー集積素子が接続されるのである。
【００１０】
このように、複数の電極が形成されたプラズマディスプレイパネルと、このようなプラズマディスプレイパネルの複数の電極に所定の駆動電圧を供給するための駆動部を含む構成をプラズマディスプレイ装置と称す。
【００１１】
ここで、プラズマディスプレイパネルのアドレス電極（Ｘ）に駆動電圧を供給するための従来のデータドライブ集積素子に使われるスイチング素子は、駆動の時、相対的に高い熱を発生する。
【００１２】
例えば、データ電圧源が供給するデータ電圧（Ｖｄ）の大きさが６０Ｖと仮定しよう。そして、それぞれのスイチング素子の抵抗値がそれぞれＲだと仮定しよう。
【００１３】
このような場合に、データドライブ集積素子を通じてアドレス電極にデータ電圧（Ｖｄ）が供給される時、一つのスイチング素子に流れる電流と、このようなスイチング素子で消費する電力の大きさは次数式１のようになる。
【００１４】
（数式１）
ｉ ＝ Ｖ／Ｒ＝６０[Ｖ]／Ｒ
Ｗ ＝ ｉ×Ｖ＝ｉ×６０[Ｖ]
【００１５】
ここで、ｉは一つのスイチング素子に流れる電流の大きさを示し、Ｗは一つのスイチング素子で消費する電力の大きさを示す。
【００１６】
このような数式１を注意深くみれば、前述のスイチング素子は、駆動の時、ｉ×６０[Ｖ]の電力を消費することが分かる。この時、スイチング素子では消費電力Ｗに比例して熱が発生するようになる。例えば、スイチング素子の抵抗値Ｒが３０Ωと仮定すれば、スイチング素子では（６０／３０）× ６０ ＝ １２０Ｗ位の熱が発生するようになることである。
【００１７】
このような、スイチング素子は一つのサブフィールドのアドレス期間からアドレス電極でデータ電圧（Ｖｄ）のデータパルスを複数回供給するようになる。
【００１８】
例えば、アドレス電極上に配置される放電セルの個数が１００個である場合には一つのスイチング素子は一つのサブフィールドのアドレス期間において、アドレス電極で最大総１００回のデータ電圧（Ｖｄ）のデータパルスを供給するのである。
【００１９】
それでは、一つのサブフィールドのアドレス期間で一つのスイチング素子では最大（６０／３０）× ６０ ×１００ ＝ １２０００Ｗ位の熱が発生するようになるのである。
【００２０】
また、映像データが論理（Ｌｏｇｉｃ）値が１と０が繰り返されるなどの特定パターンの場合には、データドライブ集積素子のスイチング素子に過度に大きい熱が発生することで、スイッチが熱により劣化する可能性がある問題を有する。
【発明の開示】
【発明が解決しようとする課題】
【００２１】
本発明の目的は、データドライブ集積素子の熱的、電気的な劣化を防止して動作安全性を向上させるためのプラズマディスプレイ装置及びその駆動方法を提供することにある。
【課題を解決するための手段】
【００２２】
本発明の一つの実施形態によるプラズマディスプレイ装置は複数の維持電極を含む前面パネルと前面パネルと離隔されて形成されて複数のアドレス電極を含む背面パネル及び複数のアドレス電極にお互いに異なる第１データパルス及び第２データパルスを印加する駆動部を含む。
【００２３】
本発明の一つの実施形態によるプラズマディスプレイ装置は複数の維持電極を含む前面パネルと前面パネルに離隔され形成されて複数のアドレス電極を含む背面パネル及び前記複数のアドレス電極を複数のアドレス電極群で分けてデータパルスを印加して、 少なくともいずれか一つのアドレス電極群に供給されるデータパルスの内でＮ番目（Ｎは自然数） データパルスを他のアドレス電極群に供給されるデータパルスの内でＮ番目データパルスと異にする駆動部を含む。
【００２４】
本発明の一つの実施形態によるプラズマディスプレイ装置の駆動方法はアドレス期間中にアドレス電極に第１データパルスと異なる第２データパルスを印加する段階及び前記アドレス期間以後維持電極にサステインパルスを印加する段階を含む。
【００２５】
前記第１データパルス及び第２データパルスは同一サブフィールドで印加されることが望ましい。
【００２６】
前記第１データパルスの電圧上昇時間及び/または電圧下降時間は前記第２データパルスの電圧上昇時間及び/または電圧下降時間と異なるのが望ましい。
【００２７】
前記第２データパルスの電圧上昇時間及び/または電圧下降時間は第１データパルスの電圧上昇時間及び/または電圧下降時間より長いことが望ましい。
【００２８】
前記第２データパルスの電圧上昇時間は前記データパルスの電圧が上昇している途中最高電圧の１０％になる時点から９０％になる時点までの時間であり、前記第２データパルスの電圧下降時間は前記データパルスの電圧が降りている途中最高電圧の９０％になる時点から１０％になる時点までの時間のことが望ましい。
【００２９】
前記少なくともいずれか一つのアドレス電極群に供給されるデータパルスの内でＮ番目（Ｎは自然数）データパルス及び前記他のアドレス電極群に供給されるデータパルスの内でＮ番目データパルスはお互いに異なるサブフィールドで印加されることができる。
【００３０】
前記少なくともいずれか一つのアドレス電極群に供給されるデータパルスの内でＮ番目（Ｎは自然数）データパルスの電圧下降時間及び/または電圧上昇時間は前記他のアドレス電極群に供給されるデータパルスの内でＮ番目データパルスの電圧下降時間及び/または電圧上昇時間と異なることが望ましい。
【００３１】
前記少なくともいずれか一つのアドレス電極群に供給されるデータパルスの内でＮ番目（Ｎは自然数）データパルスの電圧上昇時間は前記データパルスの電圧が上昇している途中最高電圧の１０％になる時点から９０％になる時点までの時間であり、前記少なくともいずれか一つのアドレス電極群に供給されるデータパルスの内でＮ番目（Ｎは自然数）データパルスの電圧下降時間は前記データパルスの電圧が降りている途中最高電圧の９０％になる時点から１０％になる時点までの時間のことが望ましい。
【００３２】
前記複数のアドレス電極群は等しい個数の前記アドレス電極を含む。
【００３３】
前記アドレス電極群の個数は４個以上８個以下なのが望ましい。
【００３４】
前記アドレス電極群はＭ個で（Ｍは２以上の自然数）、前記Ｍ個のアドレス電極群の内いずれか一つのアドレス電極群に供給されるデータパルスの内でＮ番目（Ｎは自然数）データパルスの電圧下降時間及び/または電圧上昇時間は残りＭ−１個のアドレス電極群に供給されるデータパルスの内でＮ番目データパルスの電圧下降時間及び/または電圧上昇時間と異なるのが望ましい。
【００３５】
前記 Ｍ個のアドレス電極群の内でいずれか一つのアドレス電極群に供給されるデータパルスの内でＮ番目（Ｎは自然数）データパルスの電圧下降時間及び/または電圧上昇時間は残りＭ−１個のアドレス電極群に供給されるデータパルスの内でＮ番目データパルスの電圧下降時間及び/または電圧上昇時間より長いことが望ましい。
【００３６】
前記アドレス電極群は第１アドレス電極群と第２アドレス電極群を含み、 前記第１アドレス電極群に供給されるデータパルスの内でＮ番目データパルスの電圧下降時間及び/または電圧上昇時間は前記第２アドレス電極群に供給されるデータパルスの内でＮ番目データパルスの電圧下降時間及び/または電圧上昇時間よりさらに長いことが望ましい。
【００３７】
前記第１アドレス電極群に供給されるデータパルスの内でＮ番目データパルスの電圧下降時間及び/または電圧上昇時間はアドレス期間以後のサステイン期間から維持電極に供給されるサステインパルスの電圧下降時間及び/または電圧上昇時間とおおよそ等しいのが望ましい。
【００３８】
前記第１アドレス電極群に供給されるデータパルスの内でＮ番目データパルスの電圧下降時間及び/または電圧上昇時間はお互いに相異なことが望ましい。
【００３９】
前記第１アドレス電極群に供給されるデータパルスの内でＮ番目データパルスの電圧下降時間及び/または電圧上昇時間はおおよそ等しいのが望ましい。
【００４０】
本発明の一つの実施形態によるプラズマディスプレイ装置の駆動方法はアドレス期間中にアドレス電極に第１データパルスと異なる第２データパルスを印加する段階及び前記アドレス期間以後維持電極にサステインパルスを印加する段階を含む。
【００４１】
前記第１データパルス及び第２データパルスは同一サブフィールドで印加されることが望ましい。
【００４２】
前記第１データパルスの電圧上昇時間及び/または電圧下降時間は前記第２データパルスの電圧上昇時間及び/または電圧下降時間と異なるのが望ましい。
【００４３】
前記第２データパルスの電圧上昇時間及び/または電圧下降時間は第１データパルスの電圧上昇時間及び/または電圧下降時間より長いことが望ましい。
前記第２データパルスの電圧上昇時間は前記データパルスの電圧が上昇している途中最高電圧の１０％になる時点から９０％になる時点までの時間であり、前記第２データパルスの電圧下降時間は前記データパルスの電圧が降りている途中最高電圧の９０％になる時点から１０％になる時点までの時間のことが望ましい。
【発明の効果】
【００４４】
本発明はデータパルスを供給するための駆動部、望ましくはデータ駆動部にエネルギー回収回路部を追加して駆動することで、駆動の時発生する熱が特定のスイチング素子、望ましくはデータドライブ集積素子部に集中されることを防止してデータドライブ集積素子部の熱的、電気的劣化を防止して全体プラズマディスプレイ装置の動作安全性を向上させる効果がある。
【００４５】
または、本発明はデータドライブ集積素子の耐圧特性を低めても安定的な動作ができるようにすることで、製造単価を低めることができる効果がある。
【００４６】
本発明はデータドライブ集積素子で発生する熱を放出させるためのヒートシンクの体積及び/または表面積を従来に比べて相対的に小さくできることにより、製造単価を低めることができる効果がある。
【発明を実施するための最良の形態】
【００４７】
以下では、本発明の一つの実施形態による具体的な実施形態を添付された図面を参照して説明する。
【００４８】
図１は本発明の一つの実施形態によるプラズマディスプレイ装置を説明するための図である。
【００４９】
図１に示すように、本発明の一つの実施形態によるプラズマディスプレイ装置は、プラズマディスプレイパネル１００と、駆動部１０４とを含む。
【００５０】
プラズマディスプレイパネル１００は、前面パネル(図示せず)と背面パネル(図示せず)とが一定間隔を置いて合着されて、複数の電極、例えば、アドレス電極（Ｘ）が複数個形成されることが望ましい。
【００５１】
このようなプラズマディスプレイパネル１００の構造を図２を参照してより注意深くみれば、次のようである。
【００５２】
図２は本発明の一つの実施形態によるプラズマディスプレイ装置の内でプラズマディスプレイパネルの構造の一例を説明するための図である。
【００５３】
図２に示すように、本発明の一つの実施形態によるプラズマディスプレイ装置の内でプラズマディスプレイパネル１００は、画像がディスプレイされる表示面である前面基板２０１にスキャン電極（２０２、Ｙ）とサステイン電極(２０３、Ｚ）を含む維持電極が形成された前面パネル２００、及び、背面を成す背面基板２１１上に前述のスキャン電極（２０２、Ｙ）及びサステイン電極(２０３、Ｚ）を含む維持電極と交差されるように複数のアドレス電極（２１３、Ｘ）が配列された背面パネル２１０が一定距離を間に置いて平行に結合される。
【００５４】
前面パネル２００は、一つの放電空間、すなわち放電セルで相互放電させて放電セルの発光を維持するためのスキャン電極（２０２、Ｙ）及びサステイン電極(２０３、Ｚ）を含む維持電極、すなわち透明なＩＴＯ物質で形成された透明電極（ａ）と、金属材質で製作されたバス電極（ｂ）とからなるスキャン電極（２０２、Ｙ）及びサステイン電極(２０３、Ｚ）が対を成した維持電極が含まれる。
【００５５】
スキャン電極（２０２、Ｙ）及びサステイン電極(２０３、Ｚ）を含む維持電極は、放電電流を制限して電極対の間を絶縁させてくれる一つ以上の上部誘電体層２０４によって覆われており、上部誘電体層２０４の上面には、放電条件を容易にするために酸化マグネシウム（ＭｇＯ）を蒸着した保護層２０５が形成される。
【００５６】
背面パネル２１０は、複数個の放電空間、すなわち、放電セルを形成させるためのストライプタイプ(またはウェルタイプ)の隔壁２１２が平行を維持して配列される。また、アドレス放電を遂行して真空紫外線を発生させる複数のアドレス電極（２１３、Ｘ）が隔壁２１２に対して平行に配置される。
【００５７】
背面パネル２１０の上側面には、アドレス放電時、画像表示のための可視光線を放出するＲ、Ｇ、Ｂ蛍光体２１４が塗布される。アドレス電極（２１３、Ｘ）と蛍光体２１４との間にはアドレス電極（２１３、Ｘ）を保護するための下部誘電体層２１５が形成される。
【００５８】
図２では、本発明が適用されることができるプラズマディスプレイパネルの一例のみを示して説明したが、本発明が図２の構造のプラズマディスプレイパネルに限定されるのではないことを明らかにしておく。
【００５９】
例えば、図２では、プラズマディスプレイパネル１００にはスキャン電極（２０２、Ｙ）、サステイン電極(２０３、Ｚ）、アドレス電極（２１３、Ｘ）が形成された場合を示しているが、本発明の一つの実施形態によるプラズマディスプレイ装置に適用されるプラズマディスプレイパネル１００の電極は、スキャン電極（２０２、Ｙ）、サステイン電極(２０３、Ｚ）中の一つ以上が省略されることもできるのである。
【００６０】
別言すれば、図２では、維持電極がスキャン電極（２０２、Ｙ）とサステイン電極(２０３、Ｚ）を含む場合のみを示したが、維持電極はスキャン電極（２０２、Ｙ）またはサステイン電極(２０３、Ｚ）の内いずれか一つの電極だけで構成することができる。
【００６１】
また、図２では、前述のスキャン電極（２０２、Ｙ）とサステイン電極(２０３、Ｚ）は、それぞれ、透明電極（ａ）とバス電極（ｂ）からなる場合のみを示しているが、これとは異なり、スキャン電極（２０２、Ｙ）とサステイン電極(２０３、Ｚ）の内の一つ以上がバス電極（ｂ）だけで成ることも可能である。
【００６２】
また、スキャン電極（２０２、Ｙ）とサステイン電極(２０３、Ｚ）が前面パネル２００に含まれて、アドレス電極（２１３、Ｘ）は背面パネル２１０に含まれる場合のみを示して説明しているが、前面パネル２００にすべての電極が形成されるか、または、スキャン電極（２０２、Ｙ）、サステイン電極(２０３、Ｚ）、アドレス電極（２１３、Ｘ）の内少なくともいずれか一つの電極が隔壁２１２上に形成されることも可能である。
【００６３】
このような図２の説明を総合すれば、本発明が適用されることができるプラズマディスプレイパネルは駆動電圧を供給するための複数のアドレス電極（２１３、Ｘ）が形成されていれば、その以外の条件は如何なる構成でも構わない。
【００６４】
ここで、図２の説明を終わって、図１の説明に戻る。
【００６５】
前述の駆動部１０４は、一つのフレームに含まれた一つ以上のサブフィールドでプラズマディスプレイパネル１００に形成された複数の電極に所定の駆動電圧を供給する方法で複数の電極を駆動させる。
【００６６】
ここで、プラズマディスプレイパネル１００の複数の電極を駆動させるためのフレームの構造の一例を添付された図３を参照してより注意深くみれば、次のようである。
【００６７】
図３は、本発明の一つの実施形態によるプラズマディスプレイ装置で、映像の階調の具現のためのフレームに対して説明するための図である。
【００６８】
図３に示すように、本発明の一つの実施形態によるプラズマディスプレイ装置で映像の階調（Ｇｒａｙ Ｌｅｖｅｌ）を具現するためのフレームは、発光回数が異なる多くのサブフィールドで分けられる。
【００６９】
また、示さなかったが、各サブフィールドは、更に、すべての放電セルを初期化させるためのリセット期間（ＲＰＤ）、放電する放電セルを選択するためのアドレス期間（ＡＰＤ）及び放電回数によって階調を具現するサステイン期間（ＳＰＤ）に分けられる。
【００７０】
例えば、２５６階調で映像を表示しようとする場合に１／６０秒にあたるフレーム期間（１６．６７ｍｓ）は、例えば、図３のように８個のサブフィールド（ＳＦ１乃至ＳＦ８）で分けられて、８個のサブフィールド（ＳＦ１乃至ＳＦ８）それぞれは、リセット期間、アドレス期間及びサステイン期間に更に分けられるようになる。
【００７１】
ここで、各サブフィールドのリセット期間及びアドレス期間は、各サブフィールドごとに等しい。
【００７２】
また、放電する放電セルを選択するためのデータ放電は、アドレス電極（Ｘ）とスキャン電極（Ｙ）の間の電圧差によって起きる。
【００７３】
サステイン期間は、各サブフィールドでの階調加重値を決める期間である。
【００７４】
例えば、第１サブフィールドの階調加重値を２０で設定して、第２サブフィールドの階調加重値を２1で設定する方法で各サブフィールドの階調加重値が２ｎ(ただ、ｎ＝０、１、２、３、４、５、６、７)の割合で増加されるように各サブフィールドの階調加重値を決めることができる。
【００７５】
このように各サブフィールドでサステイン期間での階調加重値によって各サブフィールドのサステイン期間で供給されるサステインパルスの個数を調節することで、多様な映像の階調を具現するようになる。
【００７６】
このような本発明のプラズマディスプレイ装置は、１秒の映像を表示するために複数のフレームを使う。例えば、１秒の映像を表示するために６０個のフレームを使うのである。
【００７７】
図３では一つのフレームが８個のサブフィールドからなる場合だけ示して説明したが、これとは異なり、一つのフレームを成すサブフィールドの個数は多様に変更されることができる。
【００７８】
例えば、第１サブフィールドから第１２サブフィールドまでの１２個のサブフィールドで一つのフレームを構成することもでき、また、１０個のサブフィールドで一つのフレームを構成することもできるのである。
【００７９】
このような、フレームで映像の階調を具現するプラズマディスプレイ装置が具現する映像の画質は、フレームに含まれるサブフィールドの個数によって決まることができる。
【００８０】
すなわち、フレームに含まれるサブフィールドが１２個である場合は２１２種の映像の階調を表現することができるし、フレームに含まれるサブフィールドが８個である場合は２８種の映像の階調を具現することができるようになるのである。
【００８１】
また、図３では、一つのフレームで階調加重値の大きさが増加する手順によってサブフィールドが配列されたが、これとは異なり、一つのフレームでサブフィールドが階調加重値が減少する手順によって配列されることもできて、または、階調加重値にかかわらずサブフィールドが配列されることもできるのである。
【００８２】
ここで、図３の説明を終わって、また図１の説明に戻る。
【００８３】
前述の図３のようなフレームの一つ以上のサブフィールドでプラズマディスプレイパネル１００の複数の電極を駆動させるための駆動部１０４は、プラズマディスプレイパネル１００に形成された電極によってその構成が可変されることができる。
【００８４】
ここで、プラズマディスプレイパネル１００にはスキャン電極（Ｙ）とこのようなスキャン電極（Ｙ）並らぶサステイン電極（Ｚ）が形成されて、このようなスキャン電極（Ｙ）とサステイン電極（Ｚ）に交差するアドレス電極（Ｘ）が形成される場合に、駆動部１０４はデータ駆動部１０１、スキャン駆動部１０２、サステイン駆動部１０３を含むのが望ましい。
【００８５】
このように、駆動部１０４が、データ駆動部１０１、スキャン駆動部１０２、サステイン駆動部１０３を含む場合に、駆動部１０４の動作を添付された図４を参照して注意深くみれば、次のようである。
【００８６】
図４は、本発明の一つの実施形態によるプラズマディスプレイ装置の内で、データ駆動部、スキャン駆動部、サステイン駆動部を含む駆動部の動作を説明するための図である。
【００８７】
図４に示すように、駆動部１０４は、一つのサブフィールドのリセット期間、アドレス期間及びサステイン期間で、アドレス電極（Ｘ）、スキャン電極（Ｙ）、サステイン電極（Ｚ）に駆動電圧を供給する。
【００８８】
このような駆動部３０４は、図４のように、リセット期間のセットアップ期間ではスキャン電極（Ｙ）に上昇ランプ波形(Ramp-up)を供給する。望ましくは、駆動部１０４のスキャン駆動部１０２がスキャン電極（Ｙ）に上昇ランプ波形（Ｒａｍｐ−ｕｐ）を供給するのである。
【００８９】
このような、上昇ランプ波形によって全画面の放電セル内には弱い暗放電（Ｄａｒｋ Ｄｉｓｃｈａｒｇｅ）が起きる。このセットアップ放電によってアドレス電極（Ｘ）とサステイン電極（Ｚ）上には正極性壁電荷が積もるようになり、スキャン電極（Ｙ）上には負極性の壁電荷が積もるようになる。
【００９０】
また、駆動部１０４、望ましくは駆動部１０４のスキャン駆動部１０２は、図４のように、上昇ランプ波形を供給した後、セッダウン期間でスキャン電極（Ｙ）に上昇ランプ波形のピーク電圧より低い正極性電圧から落ち始めてグラウンド（ＧＮＤ）レベル電圧以下の特定電圧レベルまで落ちる下降ランプ波形（Ｒａｍｐ−ｄｏｗｎ）を供給する。
【００９１】
これによって、放電セル内に微弱な消去放電を起こすことで放電セル内に過度に形成された壁電荷を充分に消去させるようになる。このセッダウン放電によってアドレス放電が安定するように起きることができるほどの壁電荷が放電セル内に均一に残留される。
【００９２】
また、駆動部１０４は、望ましくは駆動部１０４のスキャン駆動部１０２は、図４のように、アドレス期間にはスキャン基準電圧（Ｖｓｃ）から下降する負極性スキャンパルスをスキャン電極（Ｙ）に供給する。同時に、駆動部１０４は、望ましくは駆動部１０４のデータ駆動部１０１は、前述のスキャンパルスに対応されてアドレス電極（Ｘ）に正極性のデータパルスを供給する。
【００９３】
このようなスキャンパルスとデータパルスとの電圧差と、リセット期間に生成された壁電圧とが加わりながら、データパルスが印加される放電セル内にはアドレス放電が発生される。
【００９４】
アドレス放電によって選択された放電セル内には、サステイン電圧（Ｖｓ）が印加される時放電が起きることができるようにする程度の壁電荷が形成される。これによって、スキャン電極（Ｙ）がスキャニング（Ｓｃａｎｎｉｎｇ）されるのである。
【００９５】
このような、アドレス期間以後のサステイン期間で、駆動部１０４は、スキャン電極（Ｙ）とサステイン電極（Ｚ）の内の一つ以上に交互にサステインパルス（ＳＵＳ）を供給する。望ましくは、駆動部１０４のスキャン駆動部１０２とサステイン駆動部１０３がそれぞれ、スキャン電極（Ｙ）とサステイン電極（Ｚ）に交互にサステインパルス（ＳＵＳ）を供給するのである。
【００９６】
これによって、アドレス放電によって選択された放電セルは、放電セル内の壁電圧とサステインパルスとが加わりながら、毎サステインパルスが印加される時度に、スキャン電極（Ｙ）とサステイン電極（Ｚ）との間にサステイン放電すなわち、表示放電が起きるようになる。
【００９７】
ここで、前述のアドレス期間でスキャンパルスと対応されるようにアドレス電極（Ｘ）にデータパルスを供給するための駆動部１０４、望ましくはデータ駆動部１０１の動作を添付された図５を参照してより注意深くみれば、次のようである。
【００９８】
図５ａ乃至度５ｃは、本発明の一つの実施形態によるプラズマディスプレイ装置の内で駆動部の動作をより詳しく説明するための図である。
【００９９】
先ず、図５aに示すように、一つのアドレス電極（Ｘ）に供給されるデータパルスが示されている。すなわち、一つのアドレス電極（Ｘ）上に位置する複数の放電セルに供給されるデータパルスが示されている。
【０１００】
より詳しく説明すれば、前述の図１での符号１０４の駆動部、より望ましくは符号１０１のデータ駆動部は、アドレス期間でアドレス電極（Ｘ）に複数のデータパルスを供給するのに、このような複数のデータパルスの内で第１データパルスを第２データパルスと異なるようにするのである。
【０１０１】
すなわち、符号１０４の第１データパルスの電圧上昇時間及び/または電圧下降時間は、前記第２データパルスの電圧上昇時間及び/または電圧下降時間と異なるということを意味することができる。
【０１０２】
ここで、第１データパルス及び第２データパルスは、それぞれ複数個のデータパルスであることができる。また、第１データパルス及び第２データパルスは同一サブフィールドで印加されることができる。
【０１０３】
図５ｂを通じてより注意深くみれば、図５ａのようにＹ１スキャン電極とＺ１サステイン電極に位置する放電セルに供給される第２データパルス（ｄｐ１）は、図５bの（ａ）のようにその電圧が電圧上昇時間（ｔ１）間グラウンドレベル（ＧＮＤ）の電圧からデータ電圧（Ｖｄ）まで漸進的に上昇して、下降時には電圧下降時間（ｔ２）間データ電圧（Ｖｄ）からグラウンドレベル（ＧＮＤ)の電圧まで漸進的に下降する。ここで、第２データパルスの電圧上昇時間（ｔ１）と電圧下降時間（ｔ２）はおおよそ等しいのが望ましい。
【０１０４】
一方、第１データパルス（ｄｐ２）は、図５ｂの(b)のように、その電圧がグラウンドレベル（ＧＮＤ）の電圧からデータ電圧（Ｖｄ）まで急激に上昇して、下降時にもその電圧がデータ電圧（Ｖｄ）からグラウンドレベル（ＧＮＤ）の電圧まで急激に下降する。即ち、図５ｂの（ｂ）の場合には、電圧上昇時間及び電圧下降時間が、図５ｂの（ａ）の場合のｔ１及びｔ２よりも非常に短いことを意味する。
【０１０５】
すなわち、一つのアドレス電極（Ｘ）に第２データパルス（ｄｐ１）と第１データパルス（ｄｐ２）が供給されると仮定する時、このような第２データパルス（ｄｐ１）の電圧上昇時間及び/または電圧下降時間は第１データパルス（ｄｐ２）の電圧上昇時間及び/または電圧下降時間よりさらに長い。
【０１０６】
ここで、前述の第１データパルス（ｄｐ２）の供給以後に、図５ｂの（ｃ）に示す他の第１データパルス（ｄｐ３）がさらに供給されると仮定すれば、第２データパルス（ｄｐ１）の電圧上昇時間及び/または電圧下降時間は、第１データパルス（ｄｐ２）及び他の第１データパルス（ｄｐ３）の電圧上昇時間及び/または電圧下降時間よりさらに長い。
【０１０７】
また、図５ｂの（ｂ）で示す第１データパルス（ｄｐ２）と図５ｂの（ｃ）で示す他の第１データパルス（ｄｐ３）の電圧上昇時間及び/または電圧下降時間は互いにおおよそ等しいのが望ましい。
【０１０８】
このように、アドレス電極（Ｘ）に供給される複数のデータパルスの内で少なくともいずれか一つのデータパルス(例えば、第２データパルス)の電圧上昇時間及び/または電圧下降時間を、他のデータパルス(第１データパルス)の電圧上昇時間及び/または電圧下降時間と異なるようにする理由は、データパルスを供給するための駆動部のスイチング素子で発生する熱を分散させて、駆動部の熱的/電気的劣化を防止するためであり、これに対しては以後の図１０において詳しく説明する。
【０１０９】
ここで、図５ｂの（ｂ）で示す第２データパルス（ｄｐ１）の電圧上昇時間及び/または電圧下降時間は、アドレス期間以後のサステイン期間で供給されるサステインパルス（ＳＵＳ）の電圧上昇時間及び/または電圧下降時間とおおよそ等しく、これを図５cに示した。
【０１１０】
図５ｃを注意深くみれば、（ａ）には電圧上昇時間及び/または電圧下降時間が相対的に長い第２データパルス（ｄｐ１）が示されていて、（ｂ）にはサステイン期間において維持電極に供給されるサステインパルス（ＳＵＳ）が示されている。
【０１１１】
ここで、（ａ）での第２データパルス（ｄｐ１）の電圧上昇時間ｔ１は、サステインパルス（ＳＵＳ）の電圧上昇時間ｔ１‘とおおよそ等しくて、第２データパルス（ｄｐ１）の電圧下降時間ｔ２はサステインパルス（ＳＵＳ）の電圧下降時間ｔ２’とおおよそ等しい。
【０１１２】
このように、第２データパルス（ｄｐ１）の電圧上昇時間及び/または電圧下降時間がサステインパルス（ＳＵＳ）の電圧上昇時間及び/または電圧下降時間とおおよそ等しい理由は、第２データパルス（ｄｐ１）を供給するための駆動回路とサステインパルス（ＳＵＳ）を供給するための駆動回路に等しいエネルギー回収回路（Ｅｎｅｒｇｙ Ｒｅｃｏｖｅｒｙ Ｃｉｒｃｕｉｔ）が使われるからである。
【０１１３】
これに対しては以後の図１０において詳しく説明する。
一方、前述のデータパルスの電圧上昇時間と電圧下降時間は、データパルスの最大電圧の大きさによって異なるように決めることができ、これを添付された図６を参照してより注意深くみれば、次のようである。
【０１１４】
図６は、データパルスの電圧上昇時間と電圧下降時間の決定方法に対して説明するための図である。
【０１１５】
図６を注意深くみれば、第２データパルスの電圧上昇時間（ｔ１）はデータパルスの電圧が上昇している途中で最高電圧（Ｖｍａｘ）の１０％になる時点から９０％になる時点までの時間のことが望ましい。
【０１１６】
例えば、データパルスの最大電圧、すなわちデータ電圧（Ｖｄ）が１００Ｖと仮定すれば、第２データパルスの電圧上昇時間（ｔ１）はデータパルスの電圧が上昇している途中で１０Ｖになる時点から９０Ｖになる時点までの時間のことである。
【０１１７】
また、第２データパルスの電圧下降時間（ｔ２）は、データパルスの電圧が下降している途中で最高電圧の９０％になる時点から１０％になる時点までの時間のことが望ましい。
【０１１８】
例えば、データパルスの最大電圧、すなわちデータ電圧（Ｖｄ）が１００Ｖと仮定すれば、データパルスの電圧下降時間（ｔ２）は、データパルスの電圧が下降している途中９０Ｖになる時点から１０Ｖになる時点までの時間のことである。
【０１１９】
一方、以上の説明では、複数のデータパルスの内で少なくともいずれか一つのデータパルス、例えば図５ａと同じ第２データパルスは、その電圧上昇時間が電圧下降時間とおおよそ等しい場合のみを示して説明した。
【０１２０】
しかしこれとは異なり、第２データパルスの電圧下降時間と電圧上昇時間を異なるようにすることも可能であり、これを添付された図７ａ乃至図７ｂを参照して注意深くみれば、次のようである。
【０１２１】
図７（ａ）乃至図７（ｂ）は、データパルスの電圧上昇時間と電圧下降時間を互いに異なるようにする方法の一例を説明するための図である。
【０１２２】
先ず、図７（ａ）を注意深くみれば、図５aと比べて第２データパルス（ｄｐ１）と異なる第２データパルス（ｄｐ７）の電圧上昇時間が、第１データパルス（ｄｐ２〜ｄｐ６）よりさらに長く、第２データパルス（ｄｐ１）と第２データパルス（ｄｐ７）の電圧下降時間は第１データパルス（ｄｐ２〜ｄｐ６）とおおよそ等しい。
【０１２３】
または、図７（ｂ）のように図５aと比べて第２データパルス（ｄｐ１）と異なる第２データパルス（ｄｐ７）の電圧下降時間が、第１データパルス（ｄｐ２〜ｄｐ６）よりさらに長く、第２データパルス（ｄｐ１）と異なる第２データパルス（ｄｐ７）の電圧上昇時間は第１データパルス（ｄｐ２〜ｄｐ６）とおおよそ等しくすることも可能である。
【０１２４】
これは、データパルスを供給する駆動回路で電圧上昇時間または電圧下降時間の内でいずれか一つのみエネルギー回収回路を動作させてインダクター（Ｉｎｄｕｃｔｏｒ）の共振を通じてデータ電圧（Ｖｄ）を供給して、残り一つではデータ電圧（Ｖｄ）を直接供給する方法を通じて達成されることができる。これに対しては以後の図１０において詳しくする。ここでは、直列共振により供給する構成を説明するが、並列共振、直列共振及び並列共振を併用する構成であっても良い。
【０１２５】
このように、電圧上昇時間及び/または電圧下降時間が他のデータパルスより相対的に長い特定データパルスを供給する他の方法を、添付された図８を参照して注意深くみれば、次のようである。
【０１２６】
図８は相対的に長い電圧上昇時間及び/または電圧下降時間を持つデータパルスを供給する他の方法を説明するための図である。
【０１２７】
図８に示すように、アドレス期間でアドレス電極（Ｘ）に供給されるデータパルスの内で第２データパルス（ｄｐ１、ｄｐ３、ｄｐ５、ｄｐ７）の電圧上昇時間及び/または電圧下降時間が第１データパルス（ｄｐ２、ｄｐ４)の電圧上昇時間及び/または電圧下降時間よりさらに長い。別言すれば、相対的に電圧上昇時間及び/または電圧下降時間が相対的に長いデータパルスが、放電セル１つおきに供給されることである。
【０１２８】
図８では、電圧上昇時間及び/または電圧下降時間が相対的に長いデータパルスを１つおきに供給したが、これとは異なり、一つのアドレス電極（Ｘ）に供給される複数のデータパルスの内で半分のデータパルスの電圧上昇時間及び/または電圧下降時間を残り半分のデータパルスよりさらに長くすることも可能なのである。
【０１２９】
一方、図８とは異なり、所定個数のデータパルス当り一つずつのデータパルスの電圧上昇時間及び/または電圧下降時間を他のデータパルスよりさらに長くすることも可能であり、これを添付された図９を参照して注意深くみれば、次のようである。
【０１３０】
図９は、相対的に長い電圧上昇時間及び/または電圧下降時間を持つデータパルスを供給する更に他の方法を説明するための図である。
【０１３１】
図９に示すように、アドレス電極（Ｘ）に供給される複数のデータパルスの内で所定個数のデータパルス当り一つずつのデータパルスの電圧上昇時間及び/または電圧下降時間を他のデータパルスよりさらに長くすることができる。
【０１３２】
さらに望ましくは、図１1のように、複数のデータパルスの内で４個ずつのデータパルス当り一つずつのデータパルスの電圧上昇時間及び/または電圧下降時間を他のデータパルスよりさらに長くする。
【０１３３】
例えば、４個のデータパルス（ｄｐ１、ｄｐ２、ｄｐ３、ｄｐ４）の内、第２データパルス（ｄｐ３）の電圧上昇時間及び/または電圧下降時間を、第１データパルス（ｄｐ１、ｄｐ２、ｄｐ４）の電圧上昇時間及び/または電圧下降時間よりさらに長くする。
【０１３４】
また、次の４個のデータパルス（ｄｐ５、ｄｐ６、ｄｐ７、ｄｐ８）の内、第２データパルス（ｄｐ７）の電圧上昇時間及び/または電圧下降時間を第１データパルス（ｄｐ５、ｄｐ６、ｄｐ８）の電圧上昇時間及び/または電圧下降時間よりさらに長くする。また、さらに次の４個のデータパルス（ｄｐ９、ｄｐ１０、ｄｐ１１、ｄｐ１２）の内、第２データパルス（ｄｐ１１）の電圧上昇時間及び/または電圧下降時間を第１データパルス（ｄｐ９、ｄｐ１０、ｄｐ１２）の電圧上昇時間及び/または電圧下降時間よりさらに長くする。
【０１３５】
このように、所定個数当たり一つずつのデータパルスの電圧上昇時間及び/または電圧下降時間を、他のデータパルスよりさらに長くする理由は、データパルスを供給するための駆動回路で発生する熱を最大限均等に分散させるためである。
【０１３６】
これに対しては以後の図１０の説明からさらに詳しく説明する。
【０１３７】
このように、複数のデータパルスの内でいずれか一つのデータパルスの電圧上昇時間及び/または電圧下降時間を、他のデータパルスよりさらに長くするための図１の駆動部、より望ましくは、データ駆動部の構成及び動作を注意深くみれば次のようである。
【０１３８】
図１０は、本発明の一つの実施形態によるプラズマディスプレイ装置の内でデータ駆動部の構成を説明するための図である。
【０１３９】
図１０に示すように、本発明の一つの実施形態によるプラズマディスプレイ装置の内で駆動部、望ましくはデータ駆動部は、データドライブ集積素子部（Ｄａｔａ Ｄｒｉｖｅ Ｉｎｔｅｇｒａｔｅｄ Ｃｉｒｃｕｉｔ、１０００）と、データ電圧供給制御部１０１０及びエネルギー回収回路部１０２０を含む。
【０１４０】
データ電圧供給制御部１０１０は、データ電圧供給制御スイッチ（Ｑ１）を含み、図示しないデータ電圧源から供給されるデータ電圧（Ｖｄ）をデータドライブ集積素子部１０００に供給する。
【０１４１】
データドライブ集積素子部１０００は、プラズマディスプレイパネルのアドレス電極（Ｘ）に接続されて、自身に供給される電圧をあらかじめ決められたスイチング（Ｓｗｉｔｃｈｉｎｇ）を通じてアドレス電極（Ｘ）に供給する。
【０１４２】
このような、データドライブ集積素子部１０００は、データ電圧供給制御部１０１０及びエネルギー回収回路部１０２０から独立されて一つのモジュール（Ｍｏｄｕｌｅ）として形成されることが望ましい。例えば、TCP（Ｔａｐｅ Ｃａｒｒｉｅｒ Ｐａｃｋａｇｅ） 上に一つのチップ（Ｃｈｉｐ）の形態に形成されることが望ましい。
【０１４３】
このようなデータドライブ集積素子部１０００は、トップ（Ｔｏｐ）スイッチ（Ｑｔ）とボトム（Ｂｏｔｔｏｍ）スイッチ（Ｑｂ）を含むのが望ましい。
【０１４４】
ここで、トップスイッチ（Ｑｔ）の１端は、データ電圧供給制御部１０１０及びエネルギー回収回路部１０２０と共通に繋がれており、他端はボトムスイッチ（Ｑｂ）の一端と繋がれる。
また、ボトムスイッチ（Ｑｂ）の他端は接地（ＧＮＤ）されて、トップスイッチ（Ｑｔ）の他端とボトムスイッチ（Ｑｂ）の一端の間(第２ノード、ｎ２)はアドレス電極（Ｘ）と接続される。
【０１４５】
エネルギー回収回路部１０２０は、エネルギー格納部１０２１、エネルギー供給制御部１０２２、エネルギー回収制御部１０２３及びインダクター部１０２４を含む。
【０１４６】
エネルギー格納部１０２１は、エネルギー格納用キャパシター（Ｃ）を含み、プラズマディスプレイパネルのアドレス電極（Ｘ）に供給するエネルギーを格納して、同時にプラズマディスプレイパネルから回収された無効エネルギーを格納する。
【０１４７】
エネルギー供給制御部１０２２は、エネルギー供給制御スイッチ（Ｑ２）を含み、エネルギー格納用キャパシター（Ｃ）からプラズマディスプレイパネルのアドレス電極（Ｘ）に供給されるエネルギーの供給経路を形成する。
【０１４８】
このような、エネルギー供給制御部１０２２は、その一端が前述のエネルギー格納用キャパシター（Ｃ）と繋がれる。
【０１４９】
このような、エネルギー供給制御部１０２２には、エネルギー供給制御スイッチ（Ｑ２）を通じてエネルギー格納部１０２１に逆電流が流れることを防止するための逆電流防止用ダイオード（Ｄ３）がさらに含まれるのが望ましい。
【０１５０】
エネルギー回収制御部１０２３は、エネルギー回収制御スイッチ（Ｑ３）を含み、プラズマディスプレイパネルのアドレス電極（Ｘ）からエネルギー格納用キャパシター（Ｃ）に回収されるエネルギーの回収経路を形成する。
【０１５１】
このような、エネルギー回収制御部１０２３は、その一端が前述のエネルギー格納用キャパシター（Ｃ）及びエネルギー供給制御部１０２２と共通繋がれる。
【０１５２】
このような、エネルギー回収制御部１０２３にはエネルギー格納部１０２１からエネルギー回収制御スイッチ（Ｑ３）に逆電流が流れることを防止するための逆電流防止用ダイオード（Ｄ４）がさらに含まれるのが望ましい。
【０１５３】
インダクター部１０２４は、前述のエネルギー格納部１０２１に格納されたエネルギーがＬＣ共振を通じてプラズマディスプレイパネルのアドレス電極（Ｘ）に供給されるようにして、同時にプラズマディスプレイパネルの無効エネルギーがＬＣ共振を通じてエネルギー格納部１０２１に回収されるようにする。
【０１５４】
このような、図１０の駆動部、望ましくはデータ駆動部の動作を添付された図１1ａ乃至図１１ｃ及び１２ａ乃至図１２ｅを参照して注意深くみれば、次のようである。
【０１５５】
図１1ａ乃至図１１ｃは、図１０のデータ駆動部の動作を説明するための図である。また、図１２ａ乃至図１２ｅは、図１０のデータ駆動部の動作を説明するためのまた他の図である。
【０１５６】
先ず、図１1ａを注意深くみれば、例えば図９の第１データパルス（ｄｐ１）のように複数のデータパルスの内で電圧上昇時間及び/または電圧上昇時間が他のデータパルスに比べて相対的に短いデータパルスを発生させるための、図１０の駆動部、望ましくはデータ駆動部のスイチングタイミング（Ｔｉｍｉｎｇ）が示されている。
【０１５７】
プラズマディスプレイパネルのアドレス電極（Ｘ）に第１データパルス（ｄｐ１）を供給する場合には、データ電圧供給制御部１０１０のデータ電圧供給制御スイッチ（Ｑ１）とデータドライブ集積素子部１０００のトップスイッチ（Ｑｔ）がオン（Ｏｎ）されて、エネルギー回収回路部１０２０のエネルギー供給制御スイッチ（Ｑ２）、エネルギー回収制御スイッチ（Ｑ３）及びデータドライブ集積素子部１０００のボトムスイッチ（Ｑｂ）はそれぞれオフ（Ｏｆｆ）される。
【０１５８】
そして、図１１ｂのようにデータ電圧（Ｖｄ）がデータ電圧供給制御部１０１０のデータ電圧供給制御スイッチ（Ｑ１）を通じて、第１ノード（ｎ１）を経ってデータドライブ集積素子部１０００のトップスイッチ（Ｑｔ）、第２ノード（ｎ２）を経てプラズマディスプレイパネルのアドレス電極（Ｘ）に供給されるのである。
【０１５９】
図１１ｂのようにアドレス電極（Ｘ）にデータ電圧（Ｖｄ）が供給された以後には、図１１ｃのようにアドレス電極（Ｘ）にグラウンドレベル（ＧＮＤ）の電圧が供給される。
【０１６０】
このように、アドレス電極（Ｘ）でデータ電圧（Ｖｄ）が供給された以後にプラズマディスプレイパネルのアドレス電極（Ｘ）にグラウンド（ＧＮＤ）の電圧を供給する場合には、データドライブ集積素子部１０００のボトムスイッチ（Ｑｂ）がオン（Ｏｎ）されて、データ電圧供給制御部１０１０のデータ電圧供給制御スイッチ（Ｑ１）、エネルギー回収回路部１０２０のエネルギー供給制御スイッチ（Ｑ２）、エネルギー回収制御スイッチ（Ｑ３）及びデータドライブ集積素子部１０００のトップスイッチ（Ｑｔ）はそれぞれオフ（Ｏｆｆ）される。
【０１６１】
それでは、図１１ｃのようにグラウンド（ＧＮＤ）レベルの電圧がデータドライブ集積素子部１０００のボトムスイッチ（Ｑｂ）を経てプラズマディスプレイパネルのアドレス電極（Ｘ）に供給されるのである。
【０１６２】
このような過程を通じてプラズマディスプレイパネルのアドレス電極（Ｘ）にデータパルスが供給されるのである。
【０１６３】
このような、アドレス電極（Ｘ）に供給されるこのようなデータパルスと対応されて、スキャン電極（Ｙ）に供給されるスキャンパルスと前述のデータパルスの間の電圧差によって、アドレス期間でアドレス放電が発生するようになるのである。
【０１６４】
次に、図１２ａを注意深くみれば、例えば図９の第２データパルス(dp3)のように複数のデータパルスの内で電圧上昇時間及び/または電圧上昇時間が、第１データパルス（ｄｐ１、ｄｐ２、ｄｐ４）に比べて相対的に長いデータパルスを発生させるための図１０の駆動部、望ましくはデータ駆動部のスイチングタイミング（Ｔｉｍｉｎｇ）が示されている。
【０１６５】
プラズマディスプレイパネルのアドレス電極（Ｘ）に第２データパルス（ｄｐ３）を供給する期間のうちｄ１期間では、先ず、図１２ｂのようにエネルギー回収回路部１０２０のエネルギー供給制御部１０２２のエネルギー供給制御スイッチ（Ｑ２）がオンされて、またデータドライブ集積素子部１０００のトップスイッチ（Ｑｔ）がオンされる。
【０１６６】
同時に、エネルギー回収回路部１０２０のエネルギー回収制御スイッチ（Ｑ３）、データ電圧供給制御部１０１０のデータ電圧供給制御スイッチ（Ｑ１)及びデータドライブ集積素子部１０００のボトムスイッチ（Ｑｂ）はそれぞれオフ（Ｏｆｆ）される。
【０１６７】
それでは、図１２ｂのように、エネルギー格納部１０２１のエネルギー格納用キャパシター（Ｃ）に格納されたエネルギーがエネルギー供給制御部１０２２、インダクター部１０２４及びデータドライブ集積素子部１０００のトップスイッチ（Ｑｔ）を通じて、プラズマディスプレイパネルのアドレス電極（Ｘ）に供給される。
【０１６８】
この時、プラズマディスプレイパネルのアドレス電極（Ｘ）に供給されるエネルギーの電圧は、インダクター部１０２４でＬＣ共振が発生することでｄ１期間のように所定の傾きを持って漸進的に上昇するようになる。すなわち、アドレス電極（Ｘ）で漸進的に上昇する電圧が供給されるのである。
【０１６９】
このようなｄ１期間のようにアドレス電極（Ｘ）でデータ電圧（Ｖｄ）が供給された以後には、ｄ２のように、アドレス電極（Ｘ）にデータ電圧（Ｖｄ）の電圧が供給される。
【０１７０】
このように、アドレス電極（Ｘ）にデータ電圧（Ｖｄ）を供給する場合にはデータ電圧供給制御部１０１０のデータ電圧供給制御スイッチ（Ｑ１）とデータドライブ集積素子部１０００のトップスイッチ（Ｑｔ）とがオン（Ｏｎ）されて、エネルギー回収回路部１０２０のエネルギー供給制御スイッチ（Ｑ２）、エネルギー回収制御スイッチ（Ｑ３）及びデータドライブ集積素子部１０００のボトムスイッチ（Ｑｂ）はそれぞれオフ（Ｏｆｆ）される。
【０１７１】
そして、図１２ｃのように、データ電圧（Ｖｄ）がデータ電圧供給制御部１０１０のデータ電圧供給制御スイッチ（Ｑ１）を通じて、第１ノード（ｎ１）を経てデータドライブ集積素子部１０００のトップスイッチ（Ｑｔ）を経てプラズマディスプレイパネルのアドレス電極（Ｘ）に供給されるのである。
【０１７２】
このようなｄ２期間のようにアドレス電極（Ｘ）にデータ電圧（Ｖｄ）が供給された以後には、ｄ３期間のように、アドレス電極（Ｘ）に漸進的に下降する電圧が供給される。
【０１７３】
プラズマディスプレイパネルのアドレス電極（Ｘ）に漸進的に下降する電圧を供給するｄ３期間では、図１２ｄのようにエネルギー回収回路部１０２０のエネルギー回収制御部１０２３のエネルギー回収制御スイッチ（Ｑ３）がオンされて、またデータドライブ集積素子部１０００のトップスイッチ（Ｑｔ）がオンされる。
【０１７４】
同時に、エネルギー回収回路部１０２０のエネルギー供給制御スイッチ（Ｑ２）、データ電圧供給制御部１０１０のデータ電圧供給制御スイッチ（Ｑ１）及びデータドライブ集積素子部１０００のボトムスイッチ（Ｑｂ）はそれぞれオフ（Ｏｆｆ）される。
【０１７５】
そして、図１２ｄのようにプラズマディスプレイパネルの無効エネルギーが、データドライブ集積素子部１０００のトップスイッチ（Ｑｔ）、インダクター部１０２４及びエネルギー回収制御部１０２３を介して、エネルギー格納部（１２２１）のエネルギー格納用キャパシター（Ｃ）に回収される。
【０１７６】
この時、プラズマディスプレイパネルのアドレス電極（Ｘ）から回収されるエネルギーの電圧は、インダクター部１０２４でＬＣ共振が発生することでｄ３期間のように所定の傾きを持って漸進的に下降するようになる。すなわち、アドレス電極（Ｘ）に漸進的に下降する電圧が供給されるのである。
【０１７７】
図１２ｄのように、アドレス電極（Ｘ）にデータ電圧（Ｖｄ）が供給された以後には、図１２ｅのように、アドレス電極（Ｘ）にグラウンドレベル（ＧＮＤ）の電圧が供給される。
【０１７８】
このように、アドレス電極（Ｘ）にグラウンド（ＧＮＤ）の電圧を供給する場合には、データドライブ集積素子部１０００のボトムスイッチ（Ｑｂ）がオン（Ｏｎ）されて、データ電圧供給制御部１０１０のデータ電圧供給制御スイッチ（Ｑ１）、エネルギー回収回路部１０２０のエネルギー供給制御スイッチ（Ｑ２）、エネルギー回収制御スイッチ（Ｑ３）及びデータドライブ集積素子部１０００のトップスイッチ（Ｑｔ）はそれぞれオフ（Ｏｆｆ）される。
【０１７９】
そして、図１２ｅのようにグラウンド（ＧＮＤ)レベルの電圧がデータドライブ集積素子部１０００のボトムスイッチ（Ｑｂ）を経てプラズマディスプレイパネルのアドレス電極（Ｘ）に供給されるのである。
【０１８０】
このような過程を通じて、プラズマディスプレイパネルのアドレス電極（Ｘ）に電圧上昇時間及び/または電圧上昇時間が相対的に長いデータパルスが供給される。
【０１８１】
このような、アドレス電極（Ｘ）に供給されるこのようなデータパルスと対応されてスキャン電極（Ｙ）に供給されるスキャンパルスと、前述のデータパルスとの間の電圧差によって、アドレス期間でアドレス放電が発生するようになるのである。
【０１８２】
このように動作する本発明の一つの実施形態によるプラズマディスプレイ装置では、図１０に示すようなデータドライブ集積素子部に使われるスイチング素子、すなわちトップスイッチ（Ｑｔ）とボトムスイッチ（Ｑｂ）は耐圧特性が従来に比べて相対的に低くても関係ない。
【０１８３】
例えば、図１1ａ乃至図１１ｃの場合のように、アドレス電極（Ｘ）でデータパルスが供給される時、符号１０００のデータドライブ集積素子部のトップスイッチ（Ｑｔ）に流れる電流と、このようなトップスイッチ（Ｑｔ）で消費する電力の大きさは前述の数式１とおおよそ等しい。
【０１８４】
すなわち、データ電圧（Ｖｄ）の大きさが６０Ｖと仮定する時、前述の図１1ａ乃至図１１ｃの場合での符号１０００のデータドライブ集積素子のトップスイッチ（Ｑｔ）は、駆動の時、ｉ×６０［Ｖ］位の電力を消費することが分かる。
【０１８５】
この時トップスイッチ（Ｑｔ）では消費電力Ｗに比例して熱が発生するようになる。
【０１８６】
例えば、トップスイッチ（Ｑｔ）の抵抗値と、データ電圧供給制御スイッチ（Ｑ１）の抵抗値が３０Ωと仮定すれば、トップスイッチ（Ｑｔ）では（６０／３０）×６０＝１２０Ｗ位の熱が発生するようになるのである。
【０１８７】
このような図１１ａ乃至図１１ｃの場合とは異なり、図１２ａ乃至図１２ｅのようにアドレス電極（Ｘ）で電圧上昇時間及び/または電圧下降時間が相対的に長いデータパルスが供給される時符号１０００のデータドライブ集積素子部のトップスイッチ（Ｑｔ）に流れる電流と、このようなトップスイッチ（Ｑｔ）で消費する電力の大きさは次のように説明されることができる。
【０１８８】
図１２ａ乃至図１２ｅのようにアドレス電極（Ｘ）で電圧上昇時間及び/または電圧下降時間が相対的に長いデータパルスが供給される時、符号１０２１のエネルギー格納部に格納されたエネルギーが符号１０２４のインダクター部による共振を通じてデータドライブ集積素子部１０００のトップスイッチ（Ｑｔ）に供給される。
【０１８９】
これにより、前述の図９の第２データパルス（ｄｐ３）のように電圧上昇時間及び/または電圧下降時間が相対的に長いデータパルスが供給される時駆動部、望ましくはデータ駆動部で発生する大部分の熱は、エネルギー回収回路部（１０２１）に集中し、データドライブ集積素子部１０００では微々たる大きさの熱が発生するだけである。
【０１９０】
より詳しく説明すれば、図１２ａのｄ１期間では、符号１０２１のエネルギー格納部に格納されたエネルギーが符号１０２４のインダクター部による共振を通じてデータドライブ集積素子部１０００のトップスイッチ（Ｑｔ）に供給されるから、大部分の熱が符号１０２２のエネルギー供給制御部のエネルギー供給制御スイッチ（Ｑ２）とインダクター部１０２４から発生する。したがって、トップスイッチ（Ｑｔ）で発生する熱の量は非常に微々たる大きさになる。
【０１９１】
次に、図１２ａのｄ２期間では、エネルギー回収回路部１０２０が共振を通じてトップスイッチ（Ｑｔ）で供給する電圧と、データ電圧供給制御部１０１０を通じてトップスイッチ（Ｑｔ）に供給される電圧の差が相対的に非常に小さいから、実際にトップスイッチ（Ｑｔ）が体感する電圧の変動量が非常に小さくなる。
【０１９２】
これによって、図１２ａのｄ２期間でトップスイッチ（Ｑｔ）に流れる電流の量が非常に小さくなって、結果的にトップスイッチ（Ｑｔ）で発生する熱の量は非常に微々になる。
【０１９３】
次に、図１２ａのｄ３期間では、プラズマディスプレイパネルの無効エネルギーが符号１０２４のインダクター部による共振を通じて符号１０２１のエネルギー格納部に回収され、データドライブ集積素子部１０００のトップスイッチ（Ｑｔ）に供給されるから、大部分の熱が符号１０２３のエネルギー回収制御部のエネルギー回収制御スイッチ（Ｑ３）とインダクター部１０２４から発生する。したがって、トップスイッチ（Ｑｔ）で発生する熱の量は非常に微々たる大きさになる。
【０１９４】
以上の説明を総合すれば、前述の図９のようなデータパルスがプラズマディスプレイパネルのアドレス電極（Ｘ）に供給される時、駆動部、望ましくはデータ駆動部で発生する熱はいずれの特定の所に集中されないで分散する。
【０１９５】
例えば、図９の第１データパルス（ｄｐ１）が供給される時は、符号１０００のデータドライブ集積素子部のトップスイッチ（Ｑｔ）に前述の数式１のような過程を通じて所定の熱が発生する。
【０１９６】
一方、図９の第２データパルス（ｄｐ３）が供給される時は、符号１０２０のエネルギー回収回路部で大部分の熱が発生して、符号１０００のデータドライブ集積素子部のトップスイッチ（Ｑｔ）では微々たる大きさの熱が発生するだけである。
【０１９７】
これによって、図１1のようなパターン（Ｐａｔｔｅｒｎ）のデータパルスを供給する場合、符号１０００のデータドライブ集積素子部のトップスイッチ（Ｑｔ）で発生する熱は、従来と比べておおよそ２５％減少するようになる。
【０１９８】
別言すれば、本発明の一つの実施形態によるプラズマディスプレイ装置の内で駆動部、望ましくはデータ駆動部で発生する熱は、データドライブ集積素子部１０００とエネルギー回収回路部１０２０とデータ電圧供給制御部１０１０とに分散するのである。
【０１９９】
これによって、本発明の一つの実施形態によるプラズマディスプレイ装置の内で駆動部、望ましくはデータ駆動部の動作時、データ駆動部に含まれたスイチング素子、例えばデータドライブ集積素子部１０００に含まれたトップスイッチ（Ｑｔ）の熱的劣化を防止することができるようになるのである。
【０２００】
これは、トップスイッチ（Ｑｔ）に限るのではなくボトムスイッチ（Ｑｂ）にも当たることは当然である。
【０２０１】
以上で詳しく説明こととは異なり、一つのプラズマディスプレイパネルに含まれた複数のアドレス電極（Ｘ）を複数のアドレス電極群で分けて、この分けたアドレス電極群でデータパルスの電圧下降時間及び/または電圧上昇時間をそれぞれ調節することも可能だが、これに対して注意深くみれば、次のようである。
【０２０２】
図１３は、プラズマディスプレイパネルに形成された複数のアドレス電極を二つのアドレス電極群で分ける方法の一例を説明するための図である。
【０２０３】
図１３に示すように、プラズマディスプレイパネル１３００上でアドレス電極（Ｘ）をＡアドレス電極群とＢアドレス電極群とに分ける。
例えば、一つのプラズマディスプレイパネル上に形成されたアドレス電極がすべてｍ個の場合、Ａアドレス電極群は第１アドレス電極から第（ｍ）／２アドレス電極までを含み、Ｂアドレス電極群は第（ｍ／２）＋１アドレス電極から第ｍアドレス電極までを含むように区分する。
【０２０４】
ここで、前述のアドレス電極群の個数を２個で設定した理由は、一つのプラズマディスプレイパネルを２個の領域、例えば左側部と右側部で分けて駆動することが駆動ボードの製造単価（Ｃｏｓｔ）側面を考慮する時有利だからである。
【０２０５】
一方、図１３では、一つのプラズマディスプレイパネルに形成された複数のアドレス電極（Ｘ）を二つのアドレス電極群で分けてあるが、このようなアドレス電極群の個数を図１３とは相異にすることも可能であり、これを添付された図１４を参照して注意深くみれば、次のようである。
【０２０６】
図１４は、プラズマディスプレイパネルに形成されたアドレス電極を４個のアドレス電極群に区分する方法の一例を示して図である。
【０２０７】
図１４に示すように、プラズマディスプレイパネル１６００上でアドレス電極（Ｘ）をＡアドレス電極群、Ｂアドレス電極群、Ｃアドレス電極群、Ｄアドレス電極群に分ける。
【０２０８】
例えば、一つのプラズマディスプレイパネル１４００上に形成されたアドレス電極（Ｘ）の総個数が１００個である場合、Ａアドレス電極群は第１アドレス電極（Ｘ１）から第２５アドレス電極（Ｘ２５）までを含み、Ｂアドレス電極群は第２６アドレス電極（Ｘ２６）から第５０アドレス電極（Ｘ５０）までを含む。
【０２０９】
このような方法でＣアドレス電極群は第５１アドレス電極（Ｘ５１）から第７５アドレス電極（Ｘ７５）まで、またＤアドレス電極群は第７６アドレス電極（Ｘ７６）から第１００アドレス電極（Ｘ１００)までを含むように区分する。
【０２１０】
ここで前述のアドレス電極群の個数は最小２個以上から最大アドレス電極の総個数より小さな範囲、すなわちアドレス電極の総個数をｍ個、アドレス電極群の個数をＮ個だとする時２≦Ｎ≦（ｍ−１）個の間で設定されることができる。
【０２１１】
一方、図１４では、各アドレス電極群（Ａ、Ｂ、Ｃ、Ｄ）に含まれたアドレス電極（Ｘ）の個数を等しくしたが、複数のアドレス電極群の内で少なくとも一つ以上のアドレス電極群に含まれるアドレス電極（Ｘ）の個数を他のアドレス電極群と相異に設定することも可能である。
【０２１２】
また、アドレス電極群の個数も調節可能である。このようにアドレス電極群に含まれるアドレス電極（Ｘ）の個数を相異にするとか、アドレス電極群の個数を調節する一例を添付された図１５を参照して注意深くみれば、次のようである。
【０２１３】
図１５は、プラズマディスプレイパネルに形成されたアドレス電極（Ｘ）を一つ以上で相異な個数のアドレス電極（Ｘ）を含むアドレス電極群で分ける一例を説明するための図である。
【０２１４】
図１５に示すように、プラズマディスプレイパネル１５００上で複数のアドレス電極（Ｘ）をＡアドレス電極群、Ｂアドレス電極群、Ｃアドレス電極群、Ｄアドレス電極群、Ｅアドレス電極群で分ける。
【０２１５】
例えば、図１４のように、一つのプラズマディスプレイパネル上でアドレス電極（Ｘ）の個数が総１００個と仮定する時、Ａアドレス電極群は第１アドレス電極（Ｘ１）から第１０アドレス電極（Ｘ１０）までを含み、Ｂアドレス電極群は第11アドレス電極(X11)から第１５アドレス電極（Ｘ１５）までを含む。
【０２１６】
また、Ｃアドレス電極群は第１６アドレス電極（Ｘ１６）を含み、Ｄアドレス電極群は第１７アドレス電極（Ｘ１７）から第６０アドレス電極（Ｘ６０）までを含み、Ｅアドレス電極群は第６１アドレス電極（Ｘ６１）から第１００アドレス電極（Ｘ１００）までを含むように区分する。
【０２１７】
このようにアドレス電極群の内一つ以上では含まれるアドレス電極（Ｘ）の個数が異なるアドレス電極群と互いに相異する。図１５の場合はそれぞれのすべてのアドレス電極群（Ａ、Ｂ、Ｃ、Ｄ、Ｅ）に含まれるアドレス電極（Ｘ）の個数がそれぞれ皆相異な場合である。
【０２１８】
また、ここで前述のＣアドレス電極群は一つのアドレス電極、即第１６アドレス電極（Ｘ１６）一つだけを含むアドレス電極群で、他のアドレス電極群とは異なり一つのアドレス電極（Ｘ）が一つのアドレス電極群を成す場合である。
【０２１９】
図１５では、それぞれのアドレス電極群が皆相異な個数のアドレス電極（Ｘ）を含むが、これとは異なり、複数のアドレス電極群の内で選択された所定のアドレス電極群だけで、他のアドレス電極群と相異な個数のアドレス電極（Ｘ）を含むこともできるのである。
【０２２０】
例えば、Ａアドレス電極群が１０個のアドレス電極を含み、またＢアドレス電極群がまた他の１０個のアドレス電極を含み、以後のＣアドレス電極群、Ｄアドレス電極群、Ｅアドレス電極群、Ｆアドレス電極群はそれぞれ２０個ずつのアドレス電極を含むことができるのである。
【０２２１】
このようにプラズマディスプレイパネル上のアドレス電極（Ｘ）を複数のアドレス電極群で分けて、例えば図１３のように２個のアドレス電極群で分けて駆動するプラズマディスプレイ装置の動作を注意深くみれば、次のようである。
【０２２２】
図１６は、複数のアドレス電極（Ｘ）が二つのアドレス電極群に分けられた場合で本発明の一つの実施形態によるプラズマディスプレイ装置の動作を説明するための図である。
【０２２３】
図１６に示すように、複数のアドレス電極（Ｘ）が二つのアドレス電極群、例えば前述の図１３のようにＡアドレス電極群とＢアドレス電極群に分けられる場合に、それぞれのアドレス電極群に供給されるデータパルスが示されている。
【０２２４】
図１６で主張したい本発明の特徴は、一つ以上のアドレス電極（Ｘ）を含む複数のアドレス電極群の内で、少なくともいずれか一つのアドレス電極群に供給されるデータパルスの内でＮ番目（Ｎは自然数）データパルスの電圧下降時間及び/または電圧上昇時間は、他のアドレス電極群に供給されるデータパルスの内で Ｎ番目データパルスの電圧下降時間及び/または電圧上昇時間と異なるということである。
【０２２５】
例えば、第１アドレス電極（Ｘ１）から第５０アドレス電極（Ｘ５０）までを含むＡアドレス電極群には複数個のデータパルス（ｄｐ１ 乃至 ｄｐ５）が順次に供給されて、 この時前述の第２データパルス(dp4)の電圧上昇時間及び/または電圧下降時間は、他の第１データパルス（ｄｐ１、ｄｐ２、ｄｐ３、ｄｐ５）より相対的にさらに長い。
【０２２６】
また、第５１アドレス電極（Ｘ５１）から第１００アドレス電極（Ｘ１００）までを含むＢアドレス電極群には複数個のデータパルス（ｄｐ１乃至ｄｐ５）が順に供給されて、この時前述の第２データパルス（ｄｐ２）の電圧上昇時間及び/または電圧下降時間が他のデータパルス、即第１データパルス（ｄｐ１、ｄｐ３、ｄｐ４、ｄｐ５）より相対的にさらに長い。
【０２２７】
他の側面で注意深くみれば、Ｂアドレス電極群に供給されるデータパルスの内で二番目データパルス、即ち第２データパルス（ｄｐ２）の電圧上昇時間及び/または電圧下降時間は、Ａアドレス電極群に供給されるデータパルスの内で二番目データパルスである第１データパルス（ｄｐ２）の電圧上昇時間及び/または電圧下降時間と異なるのである。
【０２２８】
また、Ａアドレス電極群に供給されるデータパルスの内で四番目データパルス、即ち第１データパルス（ｄｐ４）の電圧上昇時間及び/または電圧下降時間は、Ｂアドレス電極群に供給されるデータパルスの内で四番目データパルス、即第２データパルス（ｄｐ４）の電圧上昇時間及び/または電圧下降時間と異なるのである。
【０２２９】
このように、少なくともいずれか一つのアドレス電極群に供給されるデータパルスの電圧上昇時間及び/または電圧下降時間を調節するようになれば、既に詳しく説明したようにそれぞれのアドレス電極群でデータパルスを供給するためのそれぞれの駆動部、望ましくはデータ駆動部の熱的劣化を防止するだけでなく、データパルスの供給時発生するノイズ（Ｎｏｉｓｅ）を低減させるようになる。
【０２３０】
もし、Ａアドレス電極群に供給されるデータパルスとＢアドレス電極群に供給されるデータパルスの電圧上昇時間及び電圧下降時間が等しいと仮定すれば、Ａアドレス電極群に供給されるデータパルスの電圧が上昇する時にＢアドレス電極群に供給されるデータパルスの電圧が前述のＡアドレス電極群に供給されるデータパルスと等しく上昇するようになる。
【０２３１】
これによって、Ａアドレス電極群に供給されるデータパルスとBアドレス電極群に供給されるデータパルスの間にカップリング（Ｃｏｕｐｌｉｎｇ）効果によってノイズが発生するようになるのである。これはデータパルスの電圧が下降する時にも適用される問題である。
【０２３２】
このような、ノイズの問題を解決するため、ここ図１６では、Ｂアドレス電極群に第２データパルス（ｄｐ２）が供給される時、Ａアドレス電極群には前述のＢアドレス電極群に供給される第２データパルス（ｄｐ２）より電圧上昇時間及び/または電圧下降時間が相対的に短い第１データパルス（ｄｐ２）が供給されるようにするのである。
【０２３３】
それでは、Ａアドレス電極群に供給される第２データパルス（ｄｐ２）とＢアドレス電極群に供給される第１データパルス（ｄｐ２）の間のカップリング効果が相対的に弱くなることで、データパルスが供給される時に発生するノイズが低減されるのである。
【０２３４】
一方に、等しいアドレス電極群に含まれたすべてのアドレス電極（Ｘ）に供給されるデータパルスの内でＮ番目（Ｎは自然数）データパルスの電圧下降時間及び電圧上昇時間はそれぞれ等しいのが望ましい。
【０２３５】
例えば、Ａアドレス電極群に含まれたすべてのアドレス電極（Ｘ）、即第１アドレス電極（Ｘ１）から第５０アドレス電極（Ｘ５０）までは皆Ａアドレス電極群に供給されるパターンと等しいパターンのデータパルスが供給されるのである。
【０２３６】
このように、図１６では互いに異なる二つのアドレス電極群にそれぞれ異なるパターンのデータパルスを供給するためには、それぞれのアドレス電極群に互いに異なる二つの駆動部、望ましくはデータ駆動部がそれぞれ互いに異なるデータパルスを供給するようにすることが望ましい。これに対して添付された図１７を参照して注意深くみれば、次のようである。
【０２３７】
図１７は、二つのアドレス電極群に互いに異なるパターンのデータパルスを供給するための駆動部の構成を説明するための図である。
【０２３８】
図１７に示すように、プラズマディスプレイパネル１７００上に形成された複数のアドレス電極（Ｘ）が二つのアドレス電極群、例えばＡアドレス電極群とＢアドレス電極群で分けられる場合に、本発明の一つの実施形態によるプラズマディスプレイ装置の駆動部１７１０はＡアドレス電極群にデータパルスを供給するための第1データ駆動部１７１１とＢアドレス電極群にデータパルスを供給するための第2データ駆動部１７１２とを含む。
【０２３９】
このような、第１、２データ駆動部（１７１１、１７１２）が互いに異なるパターンのデータパルスをＡアドレス電極群とＢアドレス電極群に供給するのである。
【０２４０】
このように、第１データ駆動部１７１１が図１８でＡアドレス電極群に供給されるデータパルスのようなパターンを供給して、第２データ駆動部１７１２が図１８でＢアドレス電極群に供給されるデータパルスのようなパターンを供給するようになれば、既に詳しく説明したように第１データ駆動部１７１１が熱的/電気的劣化を被るようになることを防止するようになる。
【０２４１】
また第１データ駆動部１７１１が熱的/電気的劣化を被るようになることを防止するようになるのである。
【０２４２】
一方、図１６乃至図１８ではプラズマディスプレイパネル上に形成された複数のアドレス電極（Ｘ）を二つのアドレス電極群で分ける場合の一例のみを説明しているが、これとは異にプラズマディスプレイパネル上に形成された複数のアドレス電極（Ｘ）を３個以上のアドレス電極群で分けてデータパルスを供給することも可能である。これに対して注意深くみれば、次のようである。
【０２４３】
図１８は、複数のアドレス電極（Ｘ）が三つ以上のアドレス電極群で分けられた場合で本発明のプラズマディスプレイ装置の動作を説明するための図である。
【０２４４】
図１８に示すように、複数のアドレス電極（Ｘ）が三つ以上のアドレス電極群(図１８では四つのアドレス電極群で分けられた場合のみを示して説明する)、例えば前述の図１４のようにＡアドレス電極群、Ｂアドレス電極群、Ｃアドレス電極群Ｄアドレス電極群で分けられる場合に、それぞれのアドレス電極群に供給されるデータパルスが示されている。
【０２４５】
より詳しく注意深くみれば、前述の図１６のように一つ以上のアドレス電極（Ｘ）を含む複数のアドレス電極群の内で少なくともいずれか一つのアドレス電極群に供給されるデータパルスの内でＮ番目（Ｎは自然数）データパルスの電圧下降時間及び/または電圧上昇時間は、他のアドレス電極群に供給されるデータパルスの内でＮ番目データパルスの電圧下降時間及び/または電圧上昇時間と異なる。
【０２４６】
さらに詳しく注意深くみれば、アドレス電極群の個数がＭ個(Ｍは２以上の自然数) 以上の場合に、このようなＭ個のアドレス電極群の内でいずれか一つのアドレス電極群に供給されるデータパルスの内でＮ番目（Ｎは自然数）データパルスの電圧下降時間及び/または電圧上昇時間は、残りＭ−１個のアドレス電極群に供給されるデータパルスの内でＮ番目データパルスの電圧下降時間及び/または電圧上昇時間と異なるのである。
【０２４７】
同時に、残りＭ−１個のアドレス電極群に供給されるデータパルスの内でＮ番目データパルスの電圧下降時間及び電圧上昇時間はすべてのアドレス電極群でそれぞれ等しい。
【０２４８】
例えば、第１アドレス電極（Ｘ１）から第２５アドレス電極（Ｘ２５）までを含むＡアドレス電極群には複数個のデータパルス（ｄｐ１乃至ｄｐ４）が順に供給されて、この時前述の第２データパルス（ｄｐ４）の電圧上昇時間及び/または電圧下降時間が他のデータパルス、即第１データパルス（ｄｐ１、ｄｐ２、ｄｐ３）より相対的にさらに長い。
【０２４９】
また、第２６アドレス電極（Ｘ２６）から第５０アドレス電極（Ｘ５０）までを含むＢアドレス電極群には複数個のデータパルス（ｄｐ１乃至ｄｐ４）が順に供給されて、この時前述の第２データパルス（ｄｐ３）の電圧上昇時間及び/または電圧下降時間が他のデータパルス、即第１データパルス（ｄｐ１、ｄｐ２、ｄｐ４）より相対的にさらに長い。
【０２５０】
また、第５１アドレス電極（Ｘ５１）から第７５アドレス電極（Ｘ７５）までを含むＣアドレス電極群には複数個のデータパルス（ｄｐ１ 乃至ｄｐ４）が順に供給されて、この時前述の第２データパルス（ｄｐ２）の電圧上昇時間及び/または電圧下降時間が他のデータパルス、即第１データパルス（ｄｐ１、ｄｐ３、ｄｐ４）より相対的にさらに長い。
【０２５１】
また、第７５アドレス電極（Ｘ７５）から第１００アドレス電極（Ｘ１００）までを含むＤアドレス電極群には複数個のデータパルス（ｄｐ１乃至ｄｐ４）が順に供給されて、この時前述の第２データパルス（ｄｐ１）の電圧上昇時間及び/または電圧下降時間が他のデータパルス、即第１データパルス（ｄｐ２、ｄｐ３、ｄｐ４）より相対的にさらに長い。
【０２５２】
他の側面で説明すれば、Ｄアドレス電極群(第１アドレス電極群)に供給されるデータパルスの内で一番目データパルス、即第２データパルス（ｄｐ１）の電圧上昇時間及び/または電圧下降時間は、Ａ、Ｂ、Ｃアドレス電極群(第２アドレス電極群)に供給されるデータパルスの内で一番目データパルスである第１データパルス（ｄｐ１）の電圧上昇時間及び/または電圧下降時間と異なるのである。
【０２５３】
同時に、Ａ、Ｂ、Ｃアドレス電極群(第２アドレス電極群)に供給されるデータパルスの内で一番目データパルスである第１データパルス（ｄｐ１）の電圧上昇時間及び/または電圧下降時間は互いにおおよそ等しいのである。
【０２５４】
また、Ｃアドレス電極群(第１アドレス電極群)に供給されるデータパルスの内で二番目データパルス、即第２データパルス（ｄｐ２）の電圧上昇時間及び/または電圧下降時間は、Ａ、Ｂ、Ｄアドレス電極群(第２アドレス電極群)に供給されるデータパルスの内で二番目データパルスである第１データパルス（ｄｐ２）の電圧上昇時間及び/または電圧下降時間と異なるのである。同時に、Ａ、Ｂ、Ｄアドレス電極群(第２アドレス電極群)に供給されるデータパルスの内で二番目データパルスである第１データパルス（ｄｐ２）の電圧上昇時間及び/または電圧下降時間は互いにおおよそ等しいのである。
【０２５５】
このように、少なくともいずれか一つのアドレス電極群に供給されるデータパルスの電圧上昇時間及び/または電圧下降時間を調節するようになれば、図１６乃至図１７で既に詳しく説明したようにそれぞれのアドレス電極群でデータパルスを供給するためのそれぞれの駆動部、望ましくはデータ駆動部の熱的劣化を防止するだけでなく、データパルスの供給時発生するノイズ（Ｎｏｉｓｅ）を低減させるようになる。
【０２５６】
一方、ここに図１８ではアドレス電極群の個数を４個である場合のみを説明しているが、一つの駆動部、望ましくはデータ駆動部が手におえることができるアドレス電極（Ｘ）の個数を考慮する時、このようなアドレス電極群の個数は４個以上８個以下なのが望ましい。
【０２５７】
このように、アドレス電極群の個数を４個以上８個以下にする理由は、アドレス電極群の個数を４個以上にすれば、それぞれのアドレス電極群に含まれるアドレス電極（Ｘ）の個数が多くなることによるデメリットをり確実に防止できるからである。また、アドレス電極群の個数を８個以下にすれば、それぞれのアドレス電極群に含まれるアドレス電極（Ｘ）の個数が少なくなることによるデメリットをり確実に防止できるからである。
【０２５８】
アドレス電極群の個数が４個以上にすれば、過度な個数のアドレス電極（Ｘ）を含むアドレス電極群にデータパルスを供給するための駆動部、望ましくはデータ駆動部はその電気的容量がアドレス電極群に含まれるアドレス電極（Ｘ）の個数に比例して増加するから、駆動部の単価の増加する可能性をより確実に防止できるからである。
【０２５９】
また、アドレス電極群の個数が４個以上にすれば、一つの駆動部、望ましくはデータ駆動部がアドレス電極群でデータパルスを供給する時に、一つの駆動部、望ましくはデータ駆動部に流れる変位電流の大きさが過度に増加してこのような駆動部、 望ましくはデータ駆動部の動作安全性を低下させる可能性をより確実に防止できるからである。
【０２６０】
一方に、アドレス電極群の個数が８個以下にすれば、一つのプラズマディスプレイパネルを駆動させるための駆動部、望ましくはデータ駆動部の個数が過度に増加して全体製造単価を増加させる可能性を確実に抑制できるからである。
【０２６１】
このような、図１８のように互いに異なる四つのアドレス電極群にそれぞれ異なるパターンのデータパルスを供給するためには、それぞれのアドレス電極群に互いに異なる四つの駆動部、望ましくはデータ駆動部がそれぞれ互いに異なるデータパルスを供給するようにすることが望ましい。これに対して添付された図１９を参照して注意深くみれば、次のようである。
【０２６２】
図１９は四つのアドレス電極群に互いに異なるパターンのデータパルスを供給するための駆動部の構成を説明するための図である。
【０２６３】
図１９に示すように、プラズマディスプレイパネル１９００上に形成された複数のアドレス電極（Ｘ）が四つのアドレス電極群、例えばＡアドレス電極群、Ｂアドレス電極群、Ｃアドレス電極群及びＤアドレス電極群で分けられる場合に、本発明の一つの実施形態によるプラズマディスプレイ装置の内で駆動部１９１０は、Ａアドレス電極群にデータパルスを供給するための第１データ駆動部１９１１、Ｂアドレス電極群にデータパルスを供給するための第２データ駆動部１９１２、Cアドレス電極群にデータパルスを供給するための第３データ駆動部１９１３、Ｄアドレス電極群にデータパルスを供給するための第４データ駆動部１９１４を含む。
【０２６４】
このような、第１、２、３、４ データ駆動部（１９１１、１９１２、１９１３、１９１４）が互いに異なるパターンのデータパルスをＡアドレス電極群、Ｂアドレス電極群、Ｃアドレス電極群、Ｄアドレス電極群に供給するのである。
【０２６５】
一方、前述の図１８をさらに注意深くみればＤアドレス電極群に供給されるデータパルスの内で一番目データパルスである第２データパルス（ｄｐ１）の電圧上昇時間及び/または電圧下降時間が相対的に長くて、 Ｃアドレス電極群に供給されるデータパルスの内では二番目データパルスである第２データパルス（ｄｐ２）が電圧上昇時間及び/または電圧下降時間が相対的に長い。
【０２６６】
このように、データパルスのパターンを設定するためには図１９での第４データ駆動部１９１４と第３データ駆動部１９１３に互いに異なる動作制御信号(ＥＲ制御信号)を供給すれば良い。
【０２６７】
さらに望ましくは図１０と同じ構成のデータ駆動に含まれたエネルギー回収回路部１０２０の動作制御信号（ＥＲ 制御信号）を互いに異なる時点で、第３データ駆動部１９１３と第４データ駆動部１９１４に供給するのである。動作制御信号（ＥＲ 制御信号）は、図１０のデータ駆動部において、エネルギー回収回路部１０２０によるデータパルスの供給を１放電セル分だけ実行させる。
【０２６８】
一方に、前述のように第３データ駆動部１９１３と第４データ駆動部１９１４にそれぞれ互いに異なる動作制御信号（ＥＲ 制御信号）を供給しないで、一つの動作制御信号（ＥＲ 制御信号）を所定時間位デレー（Ｄｅｌａｙ）させて供給することで、図１８のようなデータパルスのパターンを発生させることもできる。
【０２６９】
例えば、図１９のように、一つの動作制御信号（ＥＲ制御信号）を第４データ駆動部１９１４に供給して、第３データ駆動部１９１３には前述の第４データ駆動部１９１４に供給される動作制御信号を第１タイミング調節部１９１５で所定時間（Δｔ）位デレー（Ｄｅｌａｙ：遅延）させて供給する。
【０２７０】
ここで、第４データ駆動部１９１４に供給される動作制御信号（ＥＲ 制御信号）は、前述の図１８のＤアドレス電極群に供給されるデータパルスのパターンを発生させるための制御信号で、第１タイミング調節部１９１５がデレーさせるΔｔの時間はデータパルスの一周期分の時間だと仮定する。
【０２７１】
それでは、Ｄアドレス電極群では電圧上昇時間及び/または電圧下降時間が相対的に長い第２データパルスが一番目データパルス（ｄｐ１）に設定される。
【０２７２】
同時に、第３データ駆動部１９１３には第１タイミング調節部１９１５によってΔｔ位デレーされた動作制御信号（ＥＲ 制御信号）が供給されるによって、Ｃアドレス電極群では電圧上昇時間及び/または電圧下降時間が相対的に長い第２データパルスが二番目データパルス（ｄｐ２）に設定される。
【０２７３】
このような方法で、図１９のように第２データ駆動部１９１２に供給される動作制御信号（ＥＲ 制御信号）を前述の第３データ駆動部１９１３に供給される動作制御信号（ＥＲ 制御信号）よりΔｔ位さらにデレーさせるための第２タイミング調節部１９１６をさらに含ませることができる。
【０２７４】
また、第１データ駆動部１９１１に供給される動作制御信号（ＥＲ制御信号）を前述の第２データ駆動部１９１２に供給される動作制御信号（ＥＲ制御信号）よりΔｔ位さらにデレーさせるための第３タイミング調節部１９１７をさらに含ませることができることは当然である。
【０２７５】
このように、第１、２、３ タイミング調節部（１９１５、１９１６、１９１７）が含まれれば、前述の図１８と同じパターンのデータパルスを一つの動作制御信号（ＥＲ制御信号）としてＡ、Ｂ、Ｃ、Ｄアドレス電極群にそれぞれ供給することができるようになるのである。
【０２７６】
ここで、第１、２、３タイミング調節部（１９１５、１９１６、１９１７）がデレーさせる所定の時間Δｔはデータパルスの一周期または二周期または三周期など多様に変更されることができる。
【０２７７】
また、図１９では第１、２、３タイミング調節部（１９１５、１９１６、１９１７）がデレーさせる所定の時間Δｔはそれぞれのタイミング調節部が互いに等しいとして示して説明しているが、これとは異なり、以上のタイミング調節部がデレーさせる所定の時間ｔを他のタイミング調節部と異なるようにすることも可能である。
【０２７８】
例えば、第１タイミング調節部１９１５は、動作制御信号（ＥＲ 制御信号）を２００ｎｓ(ナノ秒)位デレーさせて、第２タイミング調節部１９１６は動作制御信号（ＥＲ制御信号）を４００ｎｓ(ナノ秒)位デレーさせるのが可能なのである。
【０２７９】
以上で詳しく説明したように本発明の一つの実施形態によるプラズマディスプレイ装置は駆動部、望ましくはデータ駆動部で発生する熱が特定スイチング素子に集中されることを防止することで、駆動部、望ましくはデータ駆動部の熱的/電気的損傷を防止するようになるのである。
【０２８０】
同時に、本発明の一つの実施形態によるプラズマディスプレイ装置の内で駆動の時駆動部、望ましくはデータ駆動部のデータドライブ集積素子で発生する相対的に小さな熱はヒートシンク（Ｈｅａｔ Ｓｉｎｋ）を使って効果的に放熱させることができる。このような一例を添付された図２０  を参照して注意深くみれば、次のようである。
【０２８１】
図２０は本発明の一つの実施形態によるプラズマディスプレイ装置の駆動の時データドライブ集積素子の熱を放出させるためにヒートシンク（Ｈｅａｔ Ｓｉｎｋ）を使った構造の一例を説明するための図である。
【０２８２】
図２０では、本発明の一つの実施形態によるプラズマディスプレイ装置で、データドライブ集積素子で発生する熱を放出させるための構造の一例のみを示したことで、本発明が図２０の構造に限定されたのではないことを明らかにしておく。
【０２８３】
図２０を注意深くみれば、図２のように前面パネル２０００ａと背面パネル２０００ｂが合着されてなり、図示されていないが複数のアドレス電極（Ｘ）が形成されたプラズマディスプレイパネル２０００の背面にフレーム２０１０が配置される。
【０２８４】
このような、フレーム２０１０上には、前述のプラズマディスプレイパネル２２００に形成されたアドレス電極（Ｘ）に所定の駆動電圧を供給するためのデータボード２０４０が配置される。
【０２８５】
ここで、フレーム２０１０上に配置されたデータボード２０４０と、プラズマディスプレイパネル２０００に形成されたアドレス電極（Ｘ）を電気的に連結するためにフィルム（Ｆｉｌｍ）型素子２０２０)を使う。
【０２８６】
さらに望ましくは、フィルム型素子内に一つのテープキャリアパッケージ（ＴＣＰ、Ｔａｐｅ Ｃａｒｒｉｅｒ Ｐａｃｋａｇｅ）を設ける。
【０２８７】
ここで、このようなフィルム型素子２０２０上にデータドライブ集積回路(２０３０、 Ｄａｔａ Ｄｒｉｖｅ Ｉｎｔｅｇｒａｔｅｄ Ｃｉｒｃｕｉｔ；Ｄａｔａ ＩＣ)がＴＣＰの形態で実装される。
【０２８８】
このようなデータドライブ集積回路２０３０は、駆動部、望ましくはデータ駆動部２０４０で発生された駆動信号によってデータ電圧（Ｖｄ）及びバイアス電圧（Ｖｂ）をプラズマディスプレイパネル２０００に形成されたアドレス電極（Ｘ）に印加するためにスイチング（Ｓｗｉｔｃｈｉｎｇ）動作を遂行する。
【０２８９】
このように、本発明の一つの実施形態によるプラズマディスプレイ装置でデータ電圧（Ｖｄ）及びバイアス電圧（Ｖｂ）を供給するためにスイチング動作を遂行するデータドライブ集積素子２０３０では、従来のデータドライブ集積素子と比べて駆動の時発生する熱の量が相対的に少ない。これは上の説明で既に詳しく説明した。
【０２９０】
このように、従来に比べて相対的に少ない量の熱を発生させる本発明の一つの実施形態によるデータドライブ集積素子２０３０の放熱のためにヒートシンク（Ｈｅａｔ  Ｓｉｎｋ、２０５０）が使われるのがさらに望ましい。
【０２９１】
その理由は、本発明の一つの実施形態によるプラズマディスプレイ装置の内で、データドライブ集積素子が駆動の時従来に比べて相対的に少ない量の熱を発生させ、更にこれに加えて、データドライブ集積素子で発生する熱をデータドライブ集積素子の外部に放出させることが動作の安全性の側面でさらに有利だからである。
【０２９２】
このように、本発明の一つの実施形態によるプラズマディスプレイ装置の内でデータドライブ集積素子２０３０で発生する熱を外部に放出させるためのヒートシンク２０５０は、従来に比べてその体積がさらに小さくても関係ない。言い換えれば、本発明によるデータドライブ集積素子の発熱抑制により、ヒートシンク２０５０の体積を小さくする効果がある。これに対して添付された図２１乃至図２２を参照して注意深くみれば、次のようである。
【０２９３】
図２1は、本発明の一つの実施形態によるプラズマディスプレイ装置の内でデータドライブ集積素子で発生する熱を放出させるためのヒートシンクの構造の一例を説明するための図である。
【０２９４】
図２２は、本発明の一つの実施形態によるプラズマディスプレイ装置の内でデータドライブ集積素子で発生する熱を放出させるためのヒートシンクの構造のまた他の例を説明するための図である。
【０２９５】
先ず、図２1を注意深くみれば、（ａ）には従来のプラズマディスプレイ装置のデータドライブ集積素子で発生する熱を外部に放出させるためのヒートシンクが示されている。
【０２９６】
図２１の（ａ）を注意深くみれば、従来技術によるデータドライブ集積素子で発生する熱を外部で放出させるためのヒートシンクはその横幅がＷ１で、一つの放熱ピン（Ｆｉｎ）の高さがｈ１である。
【０２９７】
このような、データドライブ集積素子で発生する熱を放出させるヒートシンクの熱放出效率は、ヒートシンクの体積またはヒートシンクの表面積に比例して増加する。
【０２９８】
一方、図２１の（ｂ）には、図１０のような本発明の一つの実施形態によるプラズマディスプレイ装置の内でデータドライブ集積素子で発生する熱を外部で放出させるためのヒートシンクが示されている。
【０２９９】
図２１の（ｂ）を注意深くみれば、本発明によるデータドライブ集積素子で発生する熱を外部で放出させるためのヒートシンクはその横幅がＷ２で、一つの放熱ピンの高さがｈ２である。
【０３００】
ここで、Ｗ２＜Ｗ１で、ｈ２＜ｈ１の関係が成り立つ。
【０３０１】
すなわち、本発明の一つの実施形態によるプラズマディスプレイ装置の内でデータドライブ集積素子で発生する熱を外部で放出させるためのヒートシンクの大きさが従来に比べてさらに小さい。
【０３０２】
さらに詳細するように、（ｂ）のヒートシンクの表面積及び/または体積が（ａ）のヒートシンクの表面積及び/または体積よりさらに小さくても良いということである。
【０３０３】
このように、（ｂ）のような本発明の一つの実施形態によるプラズマディスプレイ装置に使われるヒートシンクの表面積及び/または体積を、（ａ）のような従来に比べてさらに小さくできるようになった理由は、本発明の一つの実施形態によるプラズマディスプレイ装置では駆動の時発生する熱が特定のスイチング素子、望ましくはデータドライブ集積素子部に集中されないで分散するによって、データドライブ集積素子部で発生する熱が従来に比べて相当部分減少したからである。
【０３０４】
このように、本発明の一つの実施形態によるプラズマディスプレイ装置で使われるヒートシンクの体積及び表面積が従来に比べてさらに小くなることで、全体製造単価を大きく低めることができるようになる。
【０３０５】
次に、図２２を注意深くみれば、（ａ）には前述の図２1での（ａ）と等しく従来のプラズマディスプレイ装置のデータドライブ集積素子で発生する熱を外部で放出させるためのヒートシンクが示されている。
【０３０６】
一方に、（ｂ）には図１０のような本発明の一つの実施形態によるプラズマディスプレイ装置の内でデータドライブ集積素子で発生する熱を外部で放出させるためのヒートシンクのまた他の構造の一例が示されている。
【０３０７】
（ｂ）を注意深くみれば、本発明の一つの実施形態によるプラズマディスプレイ装置の内でデータドライブ集積素子で発生する熱を外部で放出させるためのヒートシンクはその横幅が（ａ）のＷ１よりさらに小さなＷ２で、さらに（ａ）に示されている放熱ピン（Ｆｉｎ）が省略された。
【０３０８】
ただ、（ｂ）のヒートシンクの表面には所定の屈曲が繰り返される形状が形成されている。
【０３０９】
このように、（ｂ）のような本発明の一つの実施形態によるプラズマディスプレイ装置に使われるヒートシンクで放熱ピン（Ｆｉｎ）を省略することができるようになった理由は、本発明のプラズマディスプレイ装置に使われるデータドライブ集積素子で発生する熱が従来に比べて相当部分減少したからである。
【図面の簡単な説明】
【０３１０】
【図１】本発明の一つの実施形態によるプラズマディスプレイ装置を説明するための図。
【図２】本発明の一つの実施形態によるプラズマディスプレイ装置の内でプラズマディスプレイパネルの構造の一例を説明するための図。
【図３】本発明の一つの実施形態によるプラズマディスプレイ装置で映像の階調の具現のためのフレームに対して説明するための図。
【図４】本発明の一つの実施形態によるプラズマディスプレイ装置の内でデータ駆動部、 スキャン駆動部、サステイン駆動部を含む駆動部の動作を説明するための図。
【図５ａ】本発明の一つの実施形態によるプラズマディスプレイ装置の内で駆動部の動作をより詳しく説明するための図。
【図５ｂ】本発明の一つの実施形態によるプラズマディスプレイ装置の内で駆動部の動作をより詳しく説明するための図。
【図５ｃ】本発明の一つの実施形態によるプラズマディスプレイ装置の内で駆動部の動作をより詳しく説明するための図。
【図６】データパルスの電圧上昇時間と電圧下降時間の決定方法に対して説明するための図。
【図７】ａ乃至ｂはデータパルスの電圧上昇時間と電圧下降時間をお互いに異にする方
【図８】相対的に長い電圧上昇時間及び/または電圧下降時間を持つデータパルスを供給する他の方法を説明するための図。
【図９】相対的に長い電圧上昇時間及び/または電圧下降時間を持つデータパルスを供給するまた他の方法を説明するための図。
【図１０】本発明の一つの実施形態によるプラズマディスプレイ装置の内でデータ駆動部の構成を説明するための図。
【図１１ａ】図１０のデータ駆動部の動作を説明するための図。
【図１１ｂ】図１０のデータ駆動部の動作を説明するための図。
【図１１ｃ】図１０のデータ駆動部の動作を説明するための図。
【図１２ａ】図１０のデータ駆動部の動作を説明するためのまた他の図である。
【図１２ｂ】図１０のデータ駆動部の動作を説明するためのまた他の図である。
【図１２ｃ】図１０のデータ駆動部の動作を説明するためのまた他の図である。
【図１２ｄ】図１０のデータ駆動部の動作を説明するためのまた他の図である。
【図１２ｅ】図１０のデータ駆動部の動作を説明するためのまた他の図である。
【図１３】プラズマディスプレイパネルに形成された複数のアドレス電極を二つのアドレス電極群で分ける方法の一例を説明するための図。
【図１４】プラズマディスプレイパネルに形成されたアドレス電極を４個のアドレス電極群で区分する方法の一例を示す図。
【図１５】プラズマディスプレイパネルに形成されたアドレス電極（Ｘ）を一つ以上で相異な個数のアドレス電極（Ｘ）を含むアドレス電極群で分ける一例を説明するための図。
【図１６】複数のアドレス電極（Ｘ）が二つのアドレス電極群で分けられた場合で本発明の一つの実施形態によるプラズマディスプレイ装置の動作を説明するための図。
【図１７】二つのアドレス電極群にお互いに異なるパターンのデータパルスを供給するための駆動部の構成を説明するための図である。
【図１８】複数のアドレス電極（Ｘ）が三つ以上のアドレス電極群で分けられた場合で本発明のプラズマディスプレイ装置の動作を説明するための図。
【図１９】四つのアドレス電極群にお互いに異なるパターンのデータパルスを供給するための駆動部の構成を説明するための図。
【図２０】本発明の一つの実施形態によるプラズマディスプレイ装置の駆動の時データドライブ集積素子の熱を放出させるためにヒートシンク（Ｈｅａｔ Ｓｉｎｋ）を使った構造の一例を説明するための図。
【図２１】本発明に一つの実施形態によるプラズマディスプレイ装置の内でデータドライブ集積素子で発生する熱を放出させるためのヒートシンクの構造の一例を説明するための図。
【図２２】本発明の一つの実施形態によるプラズマディスプレイ装置の内でデータドライブ集積素子で発生する熱を放出させるためのヒートシンクの構造のまた他の例を説明するための図である。
【図２】
2007133357.tif 000003
【図７】
2007133357.tif 000004
【図１０】
2007133357.tif 000005
【図１１ａ】
2007133357.tif 000006
【図１１ｂ】
2007133357.tif 000007
【図１１ｃ】
2007133357.tif 000008
【図１２ａ】
2007133357.tif 000009
【図１２ｃ】
2007133357.tif 000010
【図１２ｅ】
2007133357.tif 000011
【図２０】
2007133357.tif 000012
【図２１】
2007133357.tif 000013
【図２２】
2007133357.tif 000014
【図１】
2007133357.tif 000015
【図３】
2007133357.tif 000016
【図４】
2007133357.tif 000017
【図５ａ】
2007133357.tif 000018
【図５ｂ】
2007133357.tif 000019
【図５ｃ】
2007133357.tif 000020
【図６】
2007133357.tif 000021
【図８】
2007133357.tif 000022
【図９】
2007133357.tif 000023
【図１２ｂ】
2007133357.tif 000024
【図１２ｄ】
2007133357.tif 000025
【図１３】
2007133357.tif 000026
【図１４】
2007133357.tif 000027
【図１５】
2007133357.tif 000028
【図１６】
2007133357.tif 000029
【図１７】
2007133357.tif 000030
【図１８】
2007133357.tif 000031
【図１９】
2007133357.tif 000032